(57)【要約】  プライバシーディスプレイは、空間光変調器と、空間光変調器と直列に配設された第１の偏光器と第２の偏光器との間に配設された受動リターダとを備える。空間光変調器からの軸上光は、損失なく方向付けられ、軸外光は輝度が低下している。軸外覗き見者に対するディスプレイの視認性は、広い極性視野にわたる輝度低下によって低減される。自動車車両におけるディスプレイの軸外視認性を低減することができる。
2020520473.tif 000002
【特許請求の範囲】
【請求項１】
空間光変調器と、
前記空間光変調器の側面上に配設された少なくとも１つのディスプレイ偏光器と、
前記ディスプレイ偏光器と同じ前記空間光変調器の側面上に配設された追加の偏光器と、
前記追加の偏光器と前記ディスプレイ偏光器との間に配設された少なくとも１つの受動リターダと、を備える、ディスプレイデバイス。
【請求項２】
前記ディスプレイ偏光器が、前記追加の偏光器の電気ベクトル伝達方向に平行な前記電気ベクトル伝達方向を有する、請求項１に記載のディスプレイデバイス。
【請求項３】
前記少なくとも１つの受動リターダが、少なくとも２つの異なる配向の遅相軸を有する少なくとも２つの受動リターダを含む、請求項１又は２に記載のディスプレイデバイス。
【請求項４】
前記少なくとも１つの受動リターダが、前記受動リターダの平面内に交差する遅相軸を有する一対の受動リターダを含む、請求項１〜３のいずれか一項に記載のディスプレイデバイス。
【請求項５】
前記一対の受動リターダが、前記ディスプレイ偏光器の電気ベクトル伝達に平行な電気ベクトル伝達方向に対してそれぞれ４５°及び１３５°で延在する遅相軸を有する、請求項４に記載のディスプレイデバイス。
【請求項６】
第１の言及した一対の受動リターダ間に配置され、前記受動リターダの前記平面内に交差する遅相軸を有する追加の一対の受動リターダを更に備える、請求項４又は５に記載のディスプレイデバイス。
【請求項７】
前記追加の一対の受動リターダが、前記ディスプレイ偏光器の電気ベクトル伝達に平行な前記電気ベクトル伝達方向に対してそれぞれ０°及び９０°で各々が延在する遅相軸を有する、請求項６に記載のディスプレイデバイス。
【請求項８】
各受動リターダの５５０ｎｍの波長の光のリターダンスが、６００ｎｍ〜８５０ｎｍの範囲、好ましくは６５０ｎｍ〜７３０ｎｍの範囲、及び最も好ましくは６７０ｎｍ〜７１０ｎｍの範囲である、請求項４〜７のいずれか一項に記載のディスプレイデバイス。
【請求項９】
前記少なくとも１つの受動リターダが、前記受動リターダの平面に垂直な遅相軸を有する受動リターダを含む、請求項１〜８のいずれか一項に記載のディスプレイデバイス。
【請求項１０】
前記少なくとも１つの受動リターダが、前記受動リターダの前記平面に垂直な遅相軸を有する２つの受動リターダと、前記受動リターダの前記平面内に交差する遅相軸を有する一対の受動リターダと、を含む、請求項９に記載のディスプレイデバイス。
【請求項１１】
前記一対の受動リターダが、前記受動リターダの前記平面内に、前記ディスプレイ偏光器の電気ベクトル伝達に平行な前記電気ベクトル伝達方向に対してそれぞれ２２．５°及び１１２．５°で延在する遅相軸を有する、請求項１０に記載のディスプレイデバイス。
【請求項１２】
前記受動リターダの前記平面に垂直な遅相軸を有する前記受動リターダが、前記受動リターダの前記平面内に遅相軸を有する前記一対の受動リターダと交互になっている、請求項１０又は１１に記載のディスプレイデバイス。
【請求項１３】
前記少なくとも１つの受動リターダが、前記受動リターダの平面内の構成要素、及び前記受動リターダの前記平面に垂直な構成要素を持つ遅相軸を有する受動リターダを含む、請求項１〜１２のいずれか一項に記載のディスプレイデバイス。
【請求項１４】
前記受動リターダの前記平面内の前記構成要素が、前記ディスプレイ偏光器の電気ベクトル伝達と平行又は垂直である前記電気ベクトル伝達方向に対して０°で延在する、請求項１３に記載のディスプレイデバイス。
【請求項１５】
前記少なくとも１つの受動リターダが、前記受動リターダの前記平面に垂直な遅相軸を有する受動リターダ、又は前記受動リターダの前記平面内に交差する遅相軸を有する一対の受動リターダを更に含む、請求項１３又は１４に記載のディスプレイデバイス。
【請求項１６】
少なくとも１つの更なる受動リターダ及び更なる追加の偏光器を更に備え、前記少なくとも１つの更なる受動リターダが、第１の言及した前記追加の偏光器と前記更なる追加の偏光器との間に配設されている、請求項１〜１５のいずれか一項に記載のディスプレイデバイス。
【請求項１７】
前記空間光変調器が透過型空間光変調器であり、前記ディスプレイデバイスが、光を出力するように配設されたバックライトを更に含む、請求項１〜１６のいずれか一項に記載のディスプレイデバイス。
【請求項１８】
前記バックライトが、４５度より大きい前記空間光変調器の法線に対する極角で輝度を提供し、前記輝度が、前記空間光変調器の前記法線に沿った前記輝度の多くても１０％、好ましくは前記空間光変調器の前記法線に沿った前記輝度の多くても５％、更に好ましくは前記空間光変調器の前記法線に沿った前記輝度の多くても２．５％である、請求項１７に記載のディスプレイデバイス。
【請求項１９】
前記バックライトが、
光源のアレイと、
指向性導波路であって、
前記指向性導波路の側面に沿って横方向に延在する入力端であって、前記光源が、前記入力端に沿って配置され、入力光を前記指向性導波路に入力するように配設されている、入力端と、
前記指向性導波路に沿って前記入力端で光入力を誘導するために、前記入力端から前記指向性導波路にわたって延在する対向する第１及び第２のガイド表面であって、前記指向性導波路が、前記指向性導波路を通して導かれた入力光を偏向させて前記第１のガイド表面を通して出射するように配設されている、第１及び第２のガイド表面と、を含む、指向性導波路と、を含む、請求項１７又は１８に記載のディスプレイデバイス。
【請求項２０】
前記バックライトが、光転向フィルムを更に含み、前記指向性導波路が平行化導波路である、請求項１９に記載のディスプレイデバイス。
【請求項２１】
前記平行化導波路が、
（ｉ）複数の細長いレンチキュラー要素と、
（ｉｉ）複数の傾斜光抽出機構と、を含み、
前記複数の細長いレンチキュラー要素及び前記複数の傾斜光抽出機構が、前記指向性導波路を通して導かれた入力光を偏向させて前記第１のガイド表面を通して出射するように配向されている、請求項２０に記載のディスプレイデバイス。
【請求項２２】
前記指向性導波路は、前記光源からの出力光が、前記光源の入力位置に応じて分散される出力方向のそれぞれの光学窓内に方向付けられるように、前記光源を前記横方向に画像化するために配設された結像導波路である、請求項１９に記載のディスプレイデバイス。
【請求項２３】
前記結像導波路が、前記入力光を前記結像導波路に沿って反射し返す反射端を含み、前記第２のガイド表面が、前記反射された入力光を前記出力光として前記第１のガイド表面を通して偏向させるように配設され、
前記第２のガイド表面が、光抽出機構と、前記光抽出機構間の中間領域とを含み、前記光抽出機構が、前記反射された入力光を前記出力光として前記第１のガイド表面を通して偏向させるように配向され、前記中間領域が、光を抽出することなく前記結像導波路を通して光を方向づけるように配設され、
前記反射端が、前記第１のガイド表面と前記第２のガイド表面との間に延在する前記結像導波路の側面の間に延在している横方向に正の光パワーを有する、請求項２２に記載のディスプレイデバイス。
【請求項２４】
前記ディスプレイ偏光器が、前記バックライトと前記空間光変調器との間の前記空間光変調器の入力側上に配設された入力偏光器であり、前記追加の偏光器が、前記入力偏光器と前記バックライトとの間に配設されている、請求項１７〜２３のいずれか一項に記載のディスプレイデバイス。
【請求項２５】
前記追加の偏光器が、反射型偏光器である、請求項２４に記載のディスプレイデバイス。
【請求項２６】
前記ディスプレイデバイスが、前記空間光変調器の出力側上に配設された出力偏光器を更に含む、請求項１〜２５のいずれか一項に記載のディスプレイデバイス。
【請求項２７】
前記ディスプレイ偏光器が、前記空間光変調器の出力側上に配設された出力偏光器である、請求項１〜２５のいずれか一項に記載のディスプレイデバイス。
【請求項２８】
前記ディスプレイデバイスが、前記空間光変調器の入力側上に配設された入力偏光器を更に含む、請求項２７に記載のディスプレイデバイス。
【請求項２９】
前記空間光変調器の前記入力側上に配設された更なる追加の偏光器と、前記少なくとも１つの更なる追加の偏光器と前記入力偏光器との間に配設された少なくとも１つの更なる受動リターダと、を更に備える、請求項２８に記載のディスプレイデバイス。
【請求項３０】
前記空間光変調器が、発光型空間光変調器であり、前記ディスプレイ偏光器が、前記発光型空間光変調器の出力側上に配設された出力偏光器である、請求項１〜１６のいずれか一項に記載のディスプレイデバイス。
【請求項３１】
前記ディスプレイデバイスが、車両内に配設されている、請求項１〜３０のいずれか一項に記載のディスプレイデバイス。
【請求項３２】
前記ディスプレイデバイスが、前記車両内の透明窓の下に配設されている、請求項３１に記載のディスプレイデバイス。
【請求項３３】
前記ディスプレイデバイスが、前記車両内の座席の前方に配設されている、請求項３１又は３２に記載のディスプレイデバイス。
【請求項３４】
空間光変調器とディスプレイ偏光器とを備えるディスプレイデバイスに適用するための視野角制御光学要素であって、制御偏光器と、前記視野角制御光学要素を前記ディスプレイデバイスに適用する際に、前記制御偏光器と前記ディスプレイ偏光器との間に配設するための少なくとも１つの受動リターダと、を備える、視野角制御光学要素。
【請求項３５】
前記少なくとも１つの受動リターダが、少なくとも２つの異なる配向の遅相軸を有する少なくとも２つの受動リターダが含む、請求項３４に記載の視野角制御光学要素。
【請求項３６】
前記少なくとも１つの受動リターダが、前記受動リターダの平面内に交差する遅相軸を有する一対の受動リターダを含む、請求項３４又は３５に記載の視野角制御光学要素。
【請求項３７】
前記一対の受動リターダが、前記制御偏光器の電気ベクトル伝達に平行な前記電気ベクトル伝達方向に対してそれぞれ４５°及び１３５°で延在する遅相軸を有する、請求項３６に記載の視野角制御光学要素。
【請求項３８】
第１の言及した一対の受動リターダ間に配置され、前記受動リターダの平面内に交差する遅相軸を有する、追加の一対の受動リターダを更に備える、請求項３６又は請求項３７に記載の視野角制御光学要素。
【請求項３９】
前記追加の一対の受動リターダが、前記制御偏光器の電気ベクトル伝達に平行な前記電気ベクトル伝達方向に対してそれぞれ０°及び９０°で各々が延在する遅相軸を有する、請求項３８に記載の視野角制御光学要素。
【請求項４０】
各受動リターダの５５０ｎｍの波長の光のリターダンスが、６００ｎｍ〜８５０ｎｍの範囲、好ましくは６５０ｎｍ〜７３０ｎｍの範囲、及び最も好ましくは６７０ｎｍ〜７１０ｎｍの範囲である、請求項３４〜３９のいずれか一項に記載の視野角制御光学要素。
【請求項４１】
前記少なくとも１つの受動リターダが、前記受動リターダの平面に垂直な遅相軸を有する受動リターダを含む、請求項３４〜４０のいずれか一項に記載の視野角制御光学要素。
【請求項４２】
前記少なくとも１つの受動リターダが、前記受動リターダの前記平面に垂直な遅相軸を有する２つの受動リターダと、前記受動リターダの前記平面内に交差する遅相軸を有する一対の受動リターダと、を含む、請求項４１に記載の視野角制御光学要素。
【請求項４３】
前記一対の受動リターダが、前記受動リターダの前記平面内に、前記制御偏光器の電気ベクトル伝達に平行な前記電気ベクトル伝達方向に対してそれぞれ２２．５°及び１１２．５°で延在する遅相軸を有する、請求項４２に記載の視野角制御光学要素。
【請求項４４】
前記受動リターダの前記平面に垂直な遅相軸を有する前記受動リターダが、前記受動リターダの前記平面内に遅相軸を有する前記一対の受動リターダと交互になっている、請求項４２又は４３に記載の視野角制御光学要素。
【請求項４５】
前記少なくとも１つの受動リターダが、前記受動リターダの平面内の構成要素と、前記受動リターダの前記平面に垂直な構成要素とを持つ遅相軸を有する受動リターダを含む、請求項３４〜４４のいずれか一項に記載の視野角制御光学要素。
【請求項４６】
前記受動リターダの前記平面内の前記構成要素が、前記制御偏光器の電気ベクトル伝達に平行又は垂直な前記電気ベクトル伝達方向に対して０°で延在する、請求項４５に記載の視野角制御光学要素。
【請求項４７】
少なくとも１つの更なる受動リターダ及び更なる追加の偏光器を更に備え、前記少なくとも１つの更なる受動リターダが、第１の言及した前記追加の偏光器と前記更なる追加の偏光器との間に配設されている、請求項３４〜４６のいずれか一項に記載の視野角制御光学要素。
【発明の詳細な説明】
【技術分野】
【０００１】
本開示は、概して、光変調デバイスからの照明に関し、より具体的には、プライバシーディスプレイ、低迷光ディスプレイ、及び自動車ディスプレイを含むディスプレイに使用するための光学積層体に関する。
【背景技術】
【０００２】
プライバシーディスプレイは、通常、軸上位置の主ユーザに画像視認性を提供し、通常、軸外位置にある覗き見者には画像内容の低減された視認性を提供する。プライバシー機能は、軸上方向のディスプレイからの一部の光を、軸外位置に低い輝度で透過する微小ルーバ光学フィルムによって提供されてもよい。しかしながら、このようなフィルムは、正面の照明のための高い損失を有し、微小ルーバは、空間光変調器の画素に干渉することに起因するモアレアーティファクト（Ｍｏｉｒｅ  ａｒｔｅｆａｃｔｓ）の原因となる場合がある。マイクロルーバーのピッチには、パネルの解像度を選択する必要があり、在庫とコストが増加する。
【０００３】
あるいは、プライバシーは、軸外輝度の低減を達成する液晶ディスプレイ（ｌｉｑｕｉｄ  ｃｒｙｓｔａｌ  ｄｉｓｐｌａｙ、ＬＣＤ）空間光変調器の指向性バックライトによって提供されてもよい。ディスプレイのバックライトには、一般的に、導波路及び端部発光源が用いられる。特定の結像指向性バックライトは、ディスプレイパネルを通して照明を視野窓に方向づける追加機能を有する。結像システムは、複数の光源とそれぞれの窓画像との間に形成することができる。結像指向性バックライトの１つの例として折りたたみ式光学システムを用いることができる光弁が挙げられ、したがってこれは、折りたたみ式結像指向性バックライトの１つの例でもあり得る。光は実質的に、光弁を通して一方向に損失を伴わずに伝搬することができ、同時に対向伝搬光は、その全体が参照によって本明細書に組み込まれる米国特許第９，５１９，１５３号に記述されるように、反射傾斜ファセットによって抽出することができる。
【０００４】
軸外プライバシーの制御は、コントラストの低減によって、例えば、面内切替えＬＣＤの液晶バイアス傾斜を調整することによって、更に提供され得る。
【０００５】
ねじれネマティックＬＣＤディスプレイなどのＬＣＤの偏光器内部に追加された補償フィルムが知られている。フィルムの目的は、「視野角を拡大する」と記載されていることが多いが、より正確には、フィルムが行うことは、高い斜めの角度でディスプレイのコントラストを改善することである。追加されたフィルムは、画像の黒い部分に対して高い角度で液晶の不要な光漏れを低減するように作用するため、「コントラスト反転」の現象が回避される。コントラスト反転は、画像グレースケールが反転したときに生じ、すなわち、画像の黒い部分は白い部分よりも明るくなり、意図された画像のコントラストが反転する。したがって、フィルムを追加すると、コントラスト反転が生じる前に角度範囲が増大する。これらのフィルムは、画素化液晶ディスプレイ層とその偏光器との間に挿入されている。
【発明の概要】
【０００６】
本開示の第１態様によると、空間光変調器と、空間光変調器の側面上に配設された少なくとも１つのディスプレイ偏光器と、ディスプレイ偏光器として空間光変調器の同じ側面上に配設された追加の偏光器と、追加の偏光器とディスプレイ偏光器との間に配設された少なくとも１つの受動リターダと、を備えるディスプレイデバイスが提供される。ディスプレイ偏光器は、追加の偏光器の電気ベクトル伝達方向に平行な電気ベクトル伝達方向を有し得る。有利なことに、ディスプレイ輝度は、軸外視認位置に対して低減され得る。軸外覗き見者に対する表示画像の視認性は低下する可能性があるが、正面のユーザに対する軸上の輝度は維持される。軸外のユーザへの迷光は減少する可能性があり、夜間の使用のために部屋の照度を低減することができる。
【０００７】
少なくとも１つの受動リターダは、少なくとも２つの異なる配向の遅相軸を有する少なくとも２つの受動リターダを含み得る。有利なことに、覗き見者がプライバシーディスプレイの低い画像視認性を有する可能性のある視野、又は迷光が提供される領域が低減される。
【０００８】
少なくとも１つの受動リターダは、受動リターダの平面内に交差する遅相軸を有する一対の受動リターダを含み得る。一対の受動リターダは、ディスプレイ偏光器の電気ベクトル伝達に平行な電気ベクトル伝達方向に対してそれぞれ４５°及び１３５°で延在する遅相軸を有し得る。有利なことに、表示象限における輝度低下が低減され得る。
【０００９】
ディスプレイデバイスは、第１の言及した一対の受動リターダ間に配置され、受動リターダの平面内に交差する遅相軸を有する追加の一対の受動リターダを更に備えてもよい。追加の一対の受動リターダは、ディスプレイ偏光器の電気ベクトル伝達に平行な電気ベクトル伝達方向に対してそれぞれ０°及び９０°で各々が延在する遅相軸を有してもよい。一対のリターダはそれぞれ、互いに異なる角度で整列された、それぞれの遅相軸を有する複数のＡ−プレートを含む。有利なことに、ディスプレイの視認性は、象限を表示するために、かつ垂直及び水平の視線方向で減少する場合がある。プライバシー動作は、モバイルディスプレイデバイスの横長及び縦長動作のために提供されてもよい。
【００１０】
各受動リターダの５５０ｎｍの波長の光のリターダンスは、６００ｎｍ〜８５０ｎｍの範囲、好ましくは６５０ｎｍ〜７３０ｎｍの範囲、及び最も好ましくは６７０ｎｍ〜７１０ｎｍの範囲であり得る。有益なことに、軸外視認場所のための画像着色の変化を低減することができる。
【００１１】
少なくとも１つの受動リターダは、受動リターダの平面に垂直な遅相軸を有する受動リターダを含み得る。有益なことに、リターダ層の数は、一対の交差リターダを有する配設と比較して低減され得る。
【００１２】
少なくとも１つの受動リターダは、受動リターダの平面に垂直な遅相軸を有する２つの受動リターダと、受動リターダの平面内に交差する遅相軸を有する一対の受動リターダとを含み得る。一対の受動リターダは、受動リターダの平面内に、ディスプレイ偏光器の電気ベクトル伝達に平行な電気ベクトル伝達方向に対してそれぞれ２２．５°及び１１２．５°で延在する遅相軸を有してもよい。受動リターダの平面に垂直な遅相軸を有する受動リターダは、受動リターダの平面内に遅相軸を有し得る一対の受動リターダと交互になっている。有利なことに、輝度ロールオフの前の視野領域を増加させて、ディスプレイの均一性を改善することができる。
【００１３】
少なくとも１つの受動リターダは、受動リターダの平面内の構成要素と、受動リターダの平面に垂直な構成要素とを持つ遅相軸を有する受動リターダを含み得る。受動リターダの平面内の構成要素は、ディスプレイ偏光器の電気ベクトル伝達に平行又は垂直な電気ベクトル伝達方向に対して０°で延在してもよい。有利なことに、横への視線方向に対して輝度を低減することができる。モバイルディスプレイは、水平軸を中心に快適に回転させることができる。
【００１４】
受動リターダの平面内の構成要素と、受動リターダの平面に垂直な構成要素とを持つ遅相軸を有する少なくとも１つの受動リターダは、受動リターダの平面に垂直な減速軸を有する受動リターダ、又は受動リターダの平面内に交差する遅相軸を有する受動リターダを更に含んでもよい。有利なことに、横への軸外方向に対して、輝度の低減を増加させることができる。
【００１５】
ディスプレイデバイスは、少なくとも１つの更なる受動リターダ、及び更なる追加の偏光器を更に備えてもよい。少なくとも１つの更なる受動リターダは、第１の言及した追加の偏光器と更なる追加の偏光器との間に配設されてもよい。有利なことに、迷光の低減の増加と、軸外覗き見者に対する視認性の低減を達成することができる。
【００１６】
空間光変調器は透過型空間光変調器であってもよく、ディスプレイデバイスは、光を出力するように配設されたバックライトを更に備える。バックライトは、４５度より大きい空間光変調器の法線に対する極角で輝度を提供し、輝度は、空間光変調器の法線に沿った輝度の多くても１０％、好ましくは空間光変調器の法線に沿った輝度の多くても５％、及び更に好ましくは空間光変調器の法線に沿った輝度の多くても２．５％である。ディスプレイデバイスは、軸外画像の視認性を更に低減するために、受動リターダ及び追加の偏光器と協働する軸外視認位置の軸外視認性を低減した輝度極性視野プロファイルを備えてもよい。
【００１７】
バックライトは、光源のアレイと、指向性導波路であって、指向性導波路の側面に沿って横方向に延在する入力端であって、光源が、入力端に沿って配置され、入力光を導波路に入力するように配設された入力端と、導波路に沿って入力端で光入力を導くために、入力端から指向性導波路にわたって延在する対向する第１及び第２のガイド表面であって、導波路が、指向性導波路を通して導かれた入力光を偏向させて第１のガイド表面を通して出射するように配設されている、第１及び第２のガイド表面と、を含む、指向性導波路と、を含み得る。
【００１８】
バックライトは、平行化バックライトであってもよい。バックライトは光転向フィルムを更に備えてもよく、指向性導波路は平行化導波路であってもよい。平行化導波路は、（ｉ）複数の細長いレンチキュラー要素、及び（ｉｉ）複数の傾斜光抽出機構と、を備えてもよく、複数の細長いレンチキュラー要素及び複数の傾斜光抽出機構は、指向性導波路を通して導かれた入力光を偏向させて第１のガイド表面を通して出射するように配向されている。有利なことに、薄型バックライトが、受動リターダ軸外画像の可視性を更に低減するために、受動リターダ及び追加の偏光器と協働する狭い出力輝度プロファイルを提供してもよい。
【００１９】
指向性導波路は、光源からの出力光が、光源の入力位置に応じて分散される出力方向のそれぞれの光学窓に向けられるように、光源を横方向に画像化するために配設された結像導波路であってもよい。結像導波路は、入力光を反射して結像導波路に沿って戻すための反射端を備えてもよく、第２のガイド表面は、反射された入力光を出力光として第１のガイド表面を通して偏向させるように配置されてもよく、結像導波路は、入力光を結像導波路に沿って反射し返す反射端を含んでもよく、第２のガイド表面は、反射された入力光を出力光として第１のガイド表面を通して偏向させるように配設され、第２のガイド表面は、光抽出機構と、光抽出機構間の中間領域とを含んでもよく、光抽出機構は、第１のガイド表面を通して、反射された入力光を出力光として第１のガイド表面を通して偏向させるように配向され、中間領域は、光を抽出することなく導波路を通して光を方向付けるように配設されており、反射端は、第１のガイド表面と第２のガイド表面との間に延在する導波路の側面の間に延在している横方向に正の光パワーを有し得る。有利なことに、軸外画像の可視性を更に低減するために、受動リターダ及び追加の偏光器と協働する狭い出力輝度プロファイルを提供してもよい。
【００２０】
ディスプレイ偏光器は、バックライトと空間光変調器との間の空間光変調器の入力側上に配設された入力偏光器であってもよく、追加の偏光器は、入力偏光器とバックライトとの間に配設される。
【００２１】
追加の偏光器は反射型偏光器であってもよい。追加の偏光器は、バックライトのための偏光再循環を提供することができる。有利なことに、ディスプレイの効率が向上し、ディスプレイの厚さが減少する場合がある。
【００２２】
ディスプレイデバイスは、空間光変調器の出力側上に配設された出力偏光器を更に備えてもよい。ディスプレイ偏光器は、空間光変調器の出力側上に配設された出力偏光器であってもよい。ディスプレイデバイスは、空間光変調器の入力側上に配設された入力偏光器を更に備えてもよい。
【００２３】
ディスプレイデバイスは、空間光変調器の入力側上に配設された更なる追加の偏光器と、少なくとも１つの更なる追加の偏光器と入力偏光器との間に配設された少なくとも１つの更なる受動リターダとを更に含んでもよい。有利なことに、軸外輝度を更に低減してプライバシー性能を改善し、迷光を低減することができる。
【００２４】
空間光変調器が発光型空間光変調器であり、ディスプレイ偏光器が、発光型空間光変調器の出力側上に配設された出力偏光器であってもよい。
【００２５】
ディスプレイデバイスは車両に配設されてもよい。ディスプレイデバイスは、車両の透明窓の下に配設されてもよい。ディスプレイデバイスは、車両内の座席の前方に配設されてもよい。有利なことに、ディスプレイからの迷光を運転者又は乗員に提供することができる。迷光レベルは、夜間動作のために低減され得る。キャビン内の所与の迷光限界のための表示サイズを増大させることができる。娯楽情報は、運転者の注意をそらすことなく乗客に提供され得る。
【００２６】
本開示の第２の態様によれば、空間光変調器とディスプレイ偏光器とを備えるディスプレイデバイスに適用するための視野角制御光学要素が提供され、視野角制御光学要素は、制御偏光器と、視野角制御光学要素をディスプレイデバイスに適用する際に、制御偏光器とディスプレイ偏光器との間に配設するための少なくとも１つの受動リターダと、を備える。少なくとも１つの受動リターダは、少なくとも２つの異なる配向の遅相軸を有する少なくとも２つの受動リターダを含み得る。
【００２７】
少なくとも１つの受動リターダには、受動リターダの平面内に交差する遅相軸を有する一対の受動リターダを含み得る。一対の受動リターダは、制御偏光器の電気ベクトル伝達に平行な電気ベクトル伝達方向に対してそれぞれ４５°及び１３５°で延在する遅相軸を有し得る。視野角制御光学要素は、第１の言及した一対の受動リターダ間に配置され、受動リターダの平面内に交差する遅相軸を有する追加の一対の受動リターダを更に備えてもよい。追加の一対の受動リターダは、制御偏光器の電気ベクトル伝達に平行な電気ベクトル伝達方向に対してそれぞれ０°及び９０°で各々が延在する遅相軸を有してもよい。各受動リターダの５５０ｎｍの波長の光のリターダンスは、６００ｎｍ〜８５０ｎｍの範囲、好ましくは６５０ｎｍ〜７３０ｎｍの範囲、及び最も好ましくは６７０ｎｍ〜７１０ｎｍの範囲であり得る。少なくとも１つの受動リターダは、受動リターダの平面に垂直な遅相軸を有する受動リターダを含み得る。少なくとも１つの受動リターダは、受動リターダの平面に垂直な遅相軸を有する２つの受動リターダ、及び受動リターダの平面内に交差する遅相軸を有する一対の受動リターダを含み得る。一対の受動リターダは、受動リターダの平面内に、制御偏光器の電気ベクトル伝達に平行な電気ベクトル伝達方向に対してそれぞれ２２．５°及び１１２．５°で延在する遅相軸を有してもよい。受動リターダの平面に垂直な遅相軸を有する受動リターダは、受動リターダの平面内に遅相軸を有する一対の受動リターダと交互になっていてもよい。少なくとも１つの受動リターダは、受動リターダの平面内の構成要素、及び受動リターダの平面に垂直な構成要素を持つ遅相軸を有する受動リターダを含んでもよい。受動リターダの平面内の構成要素は、制御偏光器の電気ベクトル伝達に平行又は垂直な電気ベクトル伝達方向に対して０°で延在してもよい。視野角制御光学要素は、少なくとも１つの更なる受動リターダ及び更なる追加の偏光器を更に備え、少なくとも１つの更なる受動リターダは、第１の言及した追加の偏光器と更なる追加の偏光器との間に配設されてもよい。
【００２８】
有利なことに、受動リターダ及び追加の偏光器、更なる受動リターダ及び更なる追加の偏光器の視野角制御は、プライバシー及び低迷光用途のディスプレイの軸外輝度制御のために提供され得る。更に、モアレアーティファクトを回避するためにパネル画素解像度に適合する必要がない、アフターマーケットのプライバシー制御要素及び／又は迷光制御要素が提供されてもよい。視野角制御要素は、出力偏光器のサイズ及び配向に切断されてもよい。
【００２９】
本開示の任意の記述した態様は、任意の組み合わせで適用されてもよい。
【００３０】
本開示の各実施形態は、様々な光学システムで使用され得る。実施形態は、様々なプロジェクタ、投影システム、光学部品、ディスプレイ、マイクロディスプレイ、コンピュータシステム、プロセッサ、自己内蔵型プロジェクタシステム、ビジュアルシステム及び／又はオーディオビジュアルシステム、並びに電気デバイス及び／又は光学デバイスを含んでもよく、又はこれらと共に作動してもよい。本開示の態様は、光学デバイス及び電気デバイス、光学システム、プレゼンテーションシステム、又は任意の種類の光学システムを包含してもよい任意の装置に関連する、実質的にいかなる装置に使用されてもよい。したがって、本開示の実施形態は、視覚的な及び／又は光学的なプレゼンテーション、視覚的な周辺機器などにおいて、並びに多数のコンピュータ環境において使用される、光学システム、光学デバイスで用いられてもよい。
【００３１】
詳細に開示する複数の実施形態に進む前に、本開示は、他の実施形態例が可能であるので、用途又は作製において示す特定の配設の詳細に限定されないことを理解するべきである。更に、本開示の態様は、独自の固有の実施形態を規定するために様々な組み合わせ及び配置で述べられてもよい。また、本明細書で使用する用語は、説明の目的のためのものであって、限定するためのものではない。
【００３２】
本開示の前述及び他の利点並びに特徴は、本開示をその全体にわたって読むことで、当業者に明白となるであろう。
【図面の簡単な説明】
【００３３】
例として、実施形態が添付の図面に示され、添付の図面において、同様の参照符号は、類似の部分を示す。
【図１Ａ】前方受動リターダ、透過型空間光変調器、及びバックライトを備える指向性ディスプレイデバイスを側面斜視図で示す概略図である。
【図１Ｂ】前方受動リターダ及び発光型空間光変調器を含む指向性ディスプレイデバイスを側面斜視図で示す概略図である。
【図１Ｃ】受動リターダ積層体、制御偏光器、及び拡散器を備える視野角制御要素を側面斜視図で示す概略図である。
【図２】ディスプレイデバイスの視野の修正を提供するように配設された光学積層体を側面斜視図で示す概略図である。
【図３Ａ】図２の受動リターダ積層体内の透過光線に対する極性方向による出力伝達の変動を示す概略グラフである。
【図３Ｂ】図２の受動リターダ積層体内の透過光線に対する極性方向による出力伝達の変動を示す概略グラフである。
【図４Ａ】プライバシーディスプレイ用の送信出力光の正面斜視図観察を示す概略図である。
【図４Ｂ】図１Ａ又は図１Ｂのディスプレイの外観を正面斜視図で示す概略図である。
【図５】搭載されたディスプレイからの自動車のキャビン及び運転者の照明を上面図で示す概略図である。
【図６】搭載されたディスプレイからの自動車のキャビン及び運転者の照明を側面図で示す概略図である。
【図７】後方受動リターダと、結像導波路を含む指向性バックライトとを備える指向性ディスプレイデバイスを側面図で示す概略図である。
【図８Ａ】結像導波路からの視野窓の斜視背面図形成を示す概略図である。
【図８Ｂ】狭角出力用に配設された図８Ａの結像導波路を備えるディスプレイデバイス内の透過光線に対する極性方向による出力伝達の変動を示す概略グラフである。
【図８Ｃ】広角出力用に配設された図８Ａの結像導波路を備えるディスプレイデバイス内の透過光線に対する極性方向による出力伝達の変動を示す概略グラフである。
【図９】前方受動リターダと、平行化導波路を含む指向性バックライトとを備える指向性ディスプレイデバイスを側面図で示す概略図である。
【図１０Ａ】平行化導波路を様々な斜視図で示す概略図である。
【図１０Ｂ】平行化導波路を様々な斜視図で示す概略図である。
【図１０Ｃ】平行化導波路を様々な斜視図で示す概略図である。
【図１１Ａ】軸上照明用の平行化導波路の第１の傾斜した平面領域の動作を側面図で示す概略図である。
【図１１Ｂ】軸上照明用の平行化導波路の非傾斜レンチキュラー構造の動作を側面図で示す概略図である。
【図１２Ａ】軸外照明用の平行化導波路の非傾斜レンチキュラー構造の動作を上面図で示す概略図である。
【図１２Ｂ】軸外照明用の平行化導波路の非傾斜レンチキュラー構造の動作を端面図で示す概略図である。
【図１２Ｃ】軸外照明用の平行化導波路の非傾斜レンチキュラー構造の動作を側面図で示す概略図である。
【図１２Ｄ】軸外照明用の平行化導波路の傾斜した平面機構の動作を上面図で示す概略図である。
【図１２Ｅ】軸外照明用の平行化導波路の傾斜した平面機構の動作を端面図で示す概略図である。
【図１２Ｆ】軸外照明用の平行化導波路の傾斜した平面機構の動作を側面図で示す概略図である。
【図１２Ｇ】傾斜した平面機構での入射後の軸外照明用の平行化導波路の非傾斜レンチキュラー構造の動作を上面図で示す概略図である。
【図１２Ｈ】傾斜した平面機構を有する入射後の軸外照明のための平行化導波路の非傾斜レンチキュラー構造の動作を端面図で示す概略図である。
【図１２Ｉ】傾斜した平面機機構を有する入射後の軸外照明のための平行化導波路の非傾斜レンチキュラー構造の動作を側面図で示す概略図である。
【図１３】平行化導波路の出力表面及び出力表面の平行化効果を上面図で示す概略図である。
【図１４】図９の平行化導波路を備えるディスプレイデバイス内の透過光線に対する極性方向による出力伝達の変動を示す概略グラフである。
【図１５】後方受動リターダと、平行化導波路及び広角導波路を含む指向性バックライトとを備える指向性ディスプレイデバイスを側面図で示す概略図である。
【図１６Ａ】指向性バックライトを正面斜視図で示す概略図である。
【図１６Ｂ】非指向性バックライトを正面斜視図で示す概略図である。
【図１６Ｃ】狭視野ディスプレイの極性視野角による輝度の変動を示す概略グラフである。
【図１７Ａ】ディスプレイデバイスの視野の修正を提供するように配設されたＡ−プレート及び正のＣ−プレートを含む受動リターダの光学積層体を側面斜視図で示す概略図である。
【図１７Ｂ】図１７Ａの受動リターダ内の透過光線に対する極性方向による出力伝達の変動を示す概略グラフである。
【図１８Ａ】ディスプレイデバイスの視野の修正を提供するように配設されたＡ−プレート及び負のＣ−プレートを含む受動リターダの光学積層体を側面斜視図で示す概略図である。
【図１８Ｂ】図１８Ａの受動リターダ内の透過光線に対する極性方向による出力伝達の変動を示す概略グラフである。
【図１９Ａ】ディスプレイデバイスの視野の修正を提供するように配設されたＡ−プレート、負のＣ−プレート、及び正のＣ−プレートを含む受動リターダの光学積層体を側面斜視図で示す概略図である。
【図１９Ｂ】図１９Ａの受動リターダ内の透過光線に対する極性方向による出力伝達の変動を示す概略グラフである。
【図２０Ａ】ディスプレイ偏光器の電気ベクトル伝達方向及び負のＣ−プレートに直交する平面内に傾斜され、ディスプレイデバイスの視野の修正を提供するように配設された、負のＯ−プレートを含む受動リターダ６００の光学積層体を側面斜視図で示す概略図である。
【図２０Ｂ】図２０Ａの受動リターダ内の透過光線に対する極性方向による出力伝達の変動を示す概略グラフである。
【図２０Ｃ】ディスプレイ偏光器の電気ベクトル伝達方向及び交差Ａ−プレートに直交する平面内に傾斜され、ディスプレイデバイスの視野の修正を提供するように配設された、正のＯ−プレートを含む受動リターダの光学積層体を側面斜視図で示す概略図である。
【図２０Ｄ】図２０Ｃの受動リターダ内の透過光線に対する極性方向による出力伝達の変動を示す概略グラフである。
【図２１Ａ】ディスプレイ偏光器の電気ベクトル伝達方向に直交する平面内に傾斜され、ディスプレイデバイスの視野の修正を提供するように配設された、負のＯ−プレートを含む受動リターダの光学積層体を側面斜視図で示す概略図である。
【図２１Ｂ】ディスプレイ偏光器の電気ベクトル伝達方向に平行な平面内に傾斜され、ディスプレイデバイスの視野の修正を提供するように配設された負のＯ−プレートを含む受動リターダの光学積層体を側面斜視図で示す概略図である。
【図２１Ｃ】図２１Ａ及び図２１Ｂの受動リターダ内の透過光線に対する極性方向による出力伝達の変動を示す概略グラフである。
【図２２Ａ】交差Ａ−プレートを備え、ディスプレイデバイスの視野の修正を提供するように配設された受動リターダの光学積層体を側面斜視図で示す概略図である。
【図２２Ｂ】図２２Ａの受動リターダ内の透過光線に対する極性方向による出力伝達の変動を示す概略グラフである。
【図２３Ａ】負のＣ−プレートを備え、ディスプレイデバイスの視野の修正を提供するように配設された受動リターダの光学積層体を側面斜視図で示す概略図である。
【図２３Ｂ】図２３Ａの受動リターダ内の透過光線に対する極性方向による出力伝達の変動を示す概略グラフである。
【図２４Ａ】後方受動リターダ及び追加の偏光器並びに前方の更なる受動リターダ及び更なる追加の偏光器と、透過型空間光変調器及びバックライトと、を備える指向性ディスプレイデバイスを側面斜視図で示す概略図である。
【図２４Ｂ】後方受動リターダ及び追加の偏光器並びに更なる追加の偏光器と、透過型空間光変調器及びバックライトと、を備える指向性ディスプレイデバイスを側面斜視図で示す概略図である。
【図２４Ｃ】前方受動リターダ及び追加の偏光器、並びに前方の更なる受動リターダ及び発光型空間光変調器上に配設された更なる追加の偏光器、を備える指向性ディスプレイデバイスを側面斜視図で示す概略図である。
【図２４Ｄ】受動リターダ積層体、制御偏光器、更なる受動リターダ積層体、更なる制御偏光器及び拡散器を備える視野角制御要素を側面斜視図で示す概略図である。
【図２５Ａ】軸外光によるリターダ層の照明を斜視図で示す概略図である。
【図２５Ｂ】０°における第１の線形偏光状態の軸外光によるリターダ層の照明を斜視図で示す概略図である。
【図２５Ｃ】９０°における第１の線形偏光状態の軸外光によるリターダ層の照明を斜視図で示す概略図である。
【図２５Ｄ】４５°における第１の線形偏光状態の軸外光によるリターダ層の照明を斜視図で示す概略図である。
【図２６Ａ】正の高さを有する軸外偏光によるＣ−プレートリターダの照明を斜視図で示す概略図である。
【図２６Ｂ】負の横角を有する軸外偏光によるＣ−プレートリターダの照明を斜視図で示す概略図である。
【図２６Ｃ】正の高さ及び負の横角を有する軸外偏光によるＣ−プレートリターダの照明を斜視図で示す概略図である。
【図２６Ｄ】正の高さ及び正の横角を有する軸外偏光によるＣ−プレートリターダの照明を斜視図で示す概略図である。
【図２７Ａ】正の高さを有する軸外偏光による交差Ａ−プレートリターダ層の照明を斜視図で示す概略図である。
【図２７Ｂ】負の横角を有する軸外偏光による交差Ａ−プレートリターダ層の照明を斜視図で示す概略図である。
【図２７Ｃ】正の高さ及び負の横角を有する軸外偏光による交差Ａ−プレートリターダ層の照明を斜視図で示す概略図である。
【図２７Ｄ】正の高さ及び正の横角を有する軸外偏光による交差Ａ−プレートリターダ層の照明を斜視図で示す概略図である。
【発明を実施するための形態】
【００３４】
ここで、本開示の目的のための光学リターダに関する用語を記載する。
【００３５】
本実施形態では、遅相軸は通常、直線偏光が、最も遅い速度で移動する遅相軸に平行な電気ベクトル方向を有する、法線方向に直交する方向に関連している。遅相軸方向とは、設計波長における最も高い屈折率を有するこの光の方向である。
【００３６】
正の誘電異方性一単軸複屈折材料の場合、遅相軸方向は複屈折材料の異常な軸である。このような材料の普通の軸は通常、法線方向に平行であり、法線方向及び遅相軸に直交する。
【００３７】
半波長及び四分の一波長という用語は、通常５００ｎｍ〜５７０ｎｍであり得る設計波長のリターダの動作に関連している。λ０本発明の例示的実施形態では、例示的なリターダンス値は、特に指定のない限り、５５０ｎｍの波長で提供される。
【００３８】
リターダは、その上に入射する光波の２つの垂直偏光構成要素間の位相シフトを提供し、２つの偏光構成要素に付与する相対位相Γの量によって特徴付けられ、２つの偏光構成要素は、方程式１によって、リターダの複屈折Δｎ及び厚さｄに関連している。
Γ＝２．π．Δｎ．ｄ／λ０                      方程式１
式中、Δｎは、異常な屈折率と普通の屈折率との差として定義される。すなわち、
Δｎ＝ｎｅ−ｎｏ                      方程式２
【００３９】
本明細書では、リターダは、変化しない複屈折を有するリターダである受動リターダである。特に、受動リターダの複屈折を変化させる供給手段は提供されない。
【００４０】
半波長リターダの場合、ｄ、Δｎ、及びλ０の間の関係は、偏光構成要素間の位相シフトがΓ＝πであるように選択される。四分の一波長リターダの場合、ｄ、Δｎ、及びλ０の間の関係は、偏光構成要素間の位相シフトがΓ＝π／２であるように選択される。
【００４１】
本明細書における半波長リターダという用語は、通常は、リターダに正常に伝搬し、空間光変調器に正常に伝搬する光に関連している。
【００４２】
本開示において、「Ａ−プレート」は、複屈折材料の層を、その光軸が層の平面に平行な複屈折材料の層を利用する光学リターダに関連している。リターダの平面は、ｘ−ｙ平面である平面内に延在するリターダの遅相軸に関連している。
【００４３】
「正のＡ−プレート」とは、正の複屈折Ａ−プレート、すなわち、正のΔｎを有するＡ−プレートを指す。
【００４４】
本開示において、「Ｃ−プレート」は、層の平面に垂直なその光軸で複屈折材料の層を利用する光学リターダに関連している。「正のＣ−プレート」とは、正の複屈折Ｃ−プレート、すなわち、正のΔｎを有するＣ−プレートを指す。
【００４５】
本開示において、「Ｏ−プレート」は、層の平面に平行な構成要素、及び層の平面に垂直な構成要素を有する、その光軸で複屈折材料の層を利用する光学リターダに関連している。「正のＯ−プレート」とは、正の複屈折Ｏ−プレート、すなわち、正のΔｎを有するＯ−プレートを指す。
【００４６】
リターダの材料に、方程式３のように、波長λと共に変化するリターダンスΔｎ．ｄが提供される無色リターダが提供されてもよい。
Δｎ．ｄ／λ＝κ                      方程式３
【００４７】
式中、ｋは、実質的に一定である。
【００４８】
好適な材料の例としては、Ｔｅｉｊｉｎ  Ｆｉｌｍｓからの修正ポリカーボネートが挙げられる。本実施形態では、以下に記載するように、輝度低下が少ない極角視線方向と、輝度低下が増大した極角視線方向との間の色交換を有利に最小化するために、無色リターダを設けることができる。
【００４９】
Ａ−プレート、正のＯ−プレート、及び正のＣ−プレートなどの正のリターダは、通常は、液晶分子のような延伸フィルム又はロッドによって提供され得る。負のＣ−プレートなどの負のリターダは、延伸フィルム又は円盤様液晶分子によって提供され得る。
【００５０】
ここで、プライバシーディスプレイデバイスの構造及び動作について記載する。このような構造はまた、夜間動作などの低迷光ディスプレイデバイスのために提供されてもよい。
【００５１】
図１Ａは、空間光変調器４８と、空間光変調器４８の側面上に配設された少なくとも１つのディスプレイ偏光器２１０と、空間光変調器４８のディスプレイ偏光器２１０と同じ側に配設された追加の偏光器６１８と、追加の偏光器６１８とディスプレイ偏光器２１０との間に配設された少なくとも１つの受動リターダ６００と、を備えるディスプレイデバイス１００を側面斜視図で示す概略図である。
【００５２】
空間光変調器４８は透過型空間光変調器であり、ディスプレイデバイスは、光を出力するように配設されたバックライトを更に備える。空間光変調器４８は、基板２１２、２１６、液晶層２１４並びに赤色、緑色及び青色画素２２０、２２２、２２４を有するディスプレイ偏光器２１８を出力する入力ディスプレイ偏光器２１０を備える液晶ディスプレイを備えてもよい。
【００５３】
透過型空間光変調器４８は、例えば、参照によりその全体が本明細書に組み込まれる米国特許第８，２３７，８７６号に開示されているように、入力ディスプレイ偏光器２１０と出力ディスプレイ偏光器２１８との間にリターダを更に備えてもよい。このようなリターダ（図示せず）は、本実施形態の受動リターダ６０２とは異なる箇所にある。このようなリターダは、軸外視認場所のコントラスト劣化を補償し、これは、本実施形態の軸外視認位置の輝度低下に異なる効果である。
【００５４】
バックライト２０は、空間光変調器４８に照明を提供するように配設することができ、入力光源１５、導波路１、後部反射器３、並びに拡散器、反射型偏光器、光転向フィルム、及び他の既知の光バックライト構造を含む光学積層体５を含んでもよい。本実施形態では、バックライト２０は、正面の輝度と比較して、軸外視認位置に対して低減された輝度を有する光円錐４００内の角度光分布を提供するように配設されてもよい。
【００５５】
偏光器２１８は、ディスプレイ偏光器２１０を備える側面に面する空間光変調器４８の側に配設されている。偏光器２１０、２１８は、空間光変調器４８の画素２２０、２２２、２２４からの光の高い消光比を提供するように配設された、二色性偏光器であり得る吸収型偏光器である。追加の偏光器６１８は吸収型偏光器を備える。
【００５６】
ディスプレイ偏光器２１８及び追加の偏光器６１８は、平行な電気ベクトル伝達方向２１９、６１９を有する。以下に記載されるように、このような平行整列は、中央視認場所の高い透過率と軸外輝度の低減を達成する。バックライト２０から出力される光円錐４００は、円錐４００よりも小さいサイズを有する光円錐４０２を有するディスプレイデバイス１００から出力されてもよい。
【００５７】
少なくとも１つの受動リターダ６００は、追加の偏光器６１８及びディスプレイ偏光器２１０と共に積層体に配設された受動リターダ６０２Ａ、６０２Ｂ、６０２Ｃ、６０２Ｄを備える。積層体の構成要素は、積層によって取り付けられてもよく、又は溶剤接着されてもよい。迷光反射及び光損失は、有利なことに低減され得る。
【００５８】
発光型空間光変調器を有する実施形態について、ここで記載する。
【００５９】
図１Ｂは、空間光変調器４８が発光型空間光変調器であり、ディスプレイ偏光器３３８が発光型空間光変調器４８の出力側上に配設された出力偏光器であるディスプレイデバイス１００を側面斜視図で示す概略図である。
【００６０】
空間光変調器４８は、基板３１２、３１６を有する出力ディスプレイ偏光器３１６、光出射層３１４、並びに赤色、緑色及び青色発光画素３２０、３２２、３２４、光学分離リターダ３３６及びディスプレイ偏光器３３８を含む、ＯＬＥＤディスプレイなどの発光型ディスプレイを備える。
【００６１】
光学分離リターダ３３６は、ディスプレイ偏光器３１８とＯＬＥＤディスプレイ発光層との間に提供される。このようなリターダは、参照によりその全体が本明細書に組み込まれる米国特許第７，０６７，９８５号に更に記載されている。リターダ３３６は、本実施形態の受動リターダ６０２とは異なる箇所にある。分離リターダ３３６は、本実施形態の軸外視認位置の輝度低下とは異なる効果である、ＯＬＥＤ表示発光層からの前方の反射を低減する。
【００６２】
ディスプレイ偏光器３３８及び追加の偏光器６１８は、（反射型偏光器と比較して）二色性偏光器などの吸収型偏光器であり、平行である電気ベクトル伝達方向３１７、６１９を有する。このような平行整列は、中央視認場所の高透過率及び軸外輝度の低減を達成する。
【００６３】
ＯＬＥＤ材料などの発光材料は、通常は、図１Ａの指向性バックライト２０用の円錐４００よりも通常は大きい光円錐４０４を有する、実質的にランバート（Ｌａｍｂｅｒｔｉａｎ）である指向性分布を有する光を出力する。発光型空間光変調器４８によって受動リターダ６０２に提供される光円錐４０４、及び追加の偏光器６１８は、光円錐４０４よりも小さいサイズを有する光円錐４０６としてディスプレイから出力されてもよい。
【００６４】
図１Ｃは、受動リターダ６０２Ａ、６０２Ｂ、６０２Ｃ、６０２Ｄ、制御偏光器６１８、及び拡散器６０７を備える受動リターダ積層体を備える視野角制御要素６０１を側面斜視図で示す概略図である。層は、感圧性接着剤及び光学的に透明な接着剤などの接着剤によって層６０５に付着されてもよく、又は溶媒接着されてもよい。
【００６５】
使用中、視野角制御要素６０１は、ユーザによって偏光出力空間光変調器に取り付けられてもよい。視野角制御要素６０１は、湾曲したディスプレイ及び屈曲したディスプレイのための可撓性フィルムとして提供されてもよい。あるいは、視野角制御要素６０１は、ガラス基板などの剛性基材上に設けられてもよい。
【００６６】
有利なことに、モアレアーティファクトを回避するためにパネル画素解像度に適合する必要がない、アフターマーケットのプライバシー制御要素及び／又は迷光制御要素が提供されてもよい。視野角制御要素は、出力偏光器のサイズ及び配向に切断されてもよい。
【００６７】
拡散器６０７は、リターダ６０２Ｄと空間光変調器との間の湿潤を最小限に抑えるように配設されてもよい。
【００６８】
ここで、図１Ａ及び図１Ｂの受動リターダの配設について記載する。
【００６９】
図２は、ディスプレイデバイス１００の視野修正を提供するように配設された光学積層体を側面斜視図で示す概略図である。リターダの光学配設は、表１に更に記載されている。
【表１】
2020520473.tif 000003
【００７０】
本開示において、平面外の角度がゼロの場合はＡ−プレートに関連し、平面外の角度が９０度の場合はＣ−プレートに関連している。面内角度は、ディスプレイ偏光器２１０、３１６及び追加の偏光器６１８のそれぞれの電気ベクトル伝達方向２１１、３１７、６１９と比較してリターダ材料の遅相軸配向の面内回転に関連している。
【００７１】
したがって、少なくとも１つのリターダは、交差するリターダの平面内に遅相軸を有する一対の受動リターダ６０２Ａ、６０２Ｄを備える。一対のリターダはそれぞれ、互いに異なる角度で整列された、それぞれの遅相軸を有する複数のＡ−プレートを備える。一対の受動リターダ６０２Ｂ、６０２Ｃは、ディスプレイ偏光器２１０の電気ベクトル伝達２１１に平行な電気ベクトル伝達方向に対してそれぞれ９０°及び０°で延在する遅相軸を有する。
【００７２】
各受動リターダ６０２Ａ、６０２Ｂ、６０２Ｃ、６０２Ｄは、ＵＶ硬化反応性メソゲン（ｍｅｓｏｇｅｎｓ）、延伸ポリマー、又は他の既知の複屈折材料などの固定液晶であり得る複屈折分子６０４Ａ、６０４Ｂ、６０４Ｃ、６０４Ｄを含む。
【００７３】
図１Ａでは、一対の受動リターダ６０２Ａ、６０２Ｄは、ディスプレイ偏光器２１０の電気ベクトル伝達にそれぞれ平行な電気ベクトル伝達方向２１１に対してそれぞれ４５°及び１３５°で延在する遅相軸を有する。
【００７４】
図１Ｂでは、一対の受動リターダ６０２Ａ、６０２Ｄはそれぞれ、ディスプレイ偏光器３１６の電気ベクトル伝達に平行な電気ベクトル伝達方向３１７に対してそれぞれ４５°及び１３５°で延在する遅相軸を有する。
【００７５】
ディスプレイは、第１の言及した一対の受動リターダ６０２Ａ、６０２Ｄの間に配置され、交差するリターダの平面内に遅相軸を有する、追加の一対の受動リターダ６０２Ｂ、６０２Ｃを更に含む。追加の一対の受動リターダ６０２Ｂ、６０２Ｃは、各々が、ディスプレイ偏光器２１０、３１６の電気ベクトル伝達に平行な電気ベクトル伝達方向２１１、３１７に対してそれぞれ０°及び９０°で延在する遅相軸を有する。
【００７６】
ここで、平行偏光器２１０、６１８の間に配設された図２及び表１の積層体の角視野を記載する。
【００７７】
図３Ａ〜図３Ｂは、図２の受動リターダ積層体内の透過光線に対する極性方向による出力伝達の変動を示す概略グラフである。
【００７８】
グラフは、平行ディスプレイ偏光器２１０と追加の偏光器６１８との間のリターダ６００の積層体の相対透過率の極性変動を表す。したがって、軸線上の光線は、偏光正面の透過及びフレネル（Ｆｒｅｓｎｅｌ）反射損失からの損失以外に、輝度に実質的に変化しない。軸外光線は、図示されるように、かつ以下に記載されるように低減された輝度を有する。
【００７９】
プロファイルロールオフのいくつかの修正は、受動リターダ６０２Ａ、６０２Ｂ、６０２Ｃ、６０２Ｄの各々のリターダンスを調整することによって達成され得る。Ａ−プレートの各々のリターダンスは同じであってもよく、又は視野特性を修正するために異なっていてもよい。
【００８０】
本実施形態では、少なくとも１つの受動リターダ６００は、ディスプレイ偏光器２１０、２１８、３１６及び追加の偏光器６１８と組み合わせて、すなわち、存在しない少なくとも１つのリターダと比較して、ディスプレイデバイスからの光出力の光軸（軸外）への光出力の輝度が低減される、という効果を有するように構成されてもよい。少なくとも１つの受動リターダ６００はまた、ディスプレイ偏光器２１０、２１８、３１６及び追加の偏光器６１８と組み合わせて、すなわち、存在しない少なくとも１つのリターダと比較して、光軸（軸上）に沿ったディスプレイデバイスからの光出力の輝度が低下しない、という効果を有するように構成されてもよい。
【００８１】
本実施形態は、いくつかの回転対称性を有する伝達プロファイルを提供する。有利なことに、プライバシーディスプレイは、覗き見者の横方向又は高い視認位置の広い視野からの画像の視認性を低減することができる。更に、このような構成を使用して、モバイルディスプレイの横長及び縦長動作のためのプライバシー動作の向上を実現することができる。
【００８２】
更に例示的な実施形態では、５５０ｎｍの波長の光に対する各Ａ−プレートのリターダンスは、６００ｎｍ〜８５０ｎｍの範囲、好ましくは６５０ｎｍ〜７３０ｎｍの範囲、及び最も好ましくは６７０ｎｍ〜７１０ｎｍの範囲であり得る。中央表示場所から軸外視認場所への吸収された光の色変化は、有利なことに、低減され得る。
【００８３】
本実施形態において、「交差」とは、リターダの平面内の２つのリターダの遅相軸間の実質的に９０°の角度に関連している。リターダ材料のコストを低減するために、例えば、フィルム製造中の延伸誤差に起因するリターダ配向のいくつかの変動を材料に提供することが望ましい。遅滞遅相軸配向の変動について、ここで記載する。好ましい方向から離れるリターダ配向の変動は、正面の輝度を低減し、最小伝達を増加させることができる。
【００８４】
更なる例示的な実施形態では、角度６０３Ａは、少なくとも４０°かつ多くても５０°、より好ましくは少なくとも４２．５°かつ多くても４７．５°、及び最も好ましくは少なくとも４４°かつ多くても４６°である。好ましくは、角度６０３Ｄは、少なくとも１３０°かつ多くても１４０°、より好ましくは少なくとも１３２．５°かつ多くても１３７．５°、及び最も好ましくは少なくとも１３４°かつ多くても１３６°である。
【００８５】
更なる例示的な実施形態において、内側リターダ対６０２Ｂ、６０２Ｃは、外側リターダ対６０２Ａ、６０２Ｄよりも緩い公差を有してもよい。好ましくは、角度６０３Ｂは、少なくとも−１０°かつ多くても１０°、より好ましくは少なくとも−５°かつ多くても５°、及び最も好ましくは少なくとも−２°かつ多くても２°である。好ましくは、角度６０３Ｃは、少なくとも８０°かつ多くても１００°、より好ましくは少なくとも８５°かつ多くても９５°、及び最も好ましくは少なくとも８８°かつ多くても９２°である。
【００８６】
有利なことに、光学積層体のコストは、望ましい正面の輝度と軸外輝度低減を維持しながら、受動リターダ６０２Ａ、６０２Ｄよりも緩い公差を有する受動リターダ６０２Ｂ、６０２Ｃを提供することによって低減することができる。
【００８７】
次に、図１Ａ〜図１Ｂのディスプレイのプライバシーモードの動作について更に記載する。
【００８８】
図４Ａは、プライバシーモードで動作しているディスプレイに対する透過出力光の正面斜視図観察を示す概略図である。ディスプレイデバイス１００は、白色領域９０３及び黒色領域９０１を備えてもよい。覗き見者４７は、観察された領域９０１、９０３間の輝度差が知覚され得る場合、ディスプレイ上の画像を観察することができる。運転中、主ユーザ４５は、光軸１９９の近くを視認場所２６まで伝播する光線によって、フル輝度画像を観察する。覗き見者４７は、視認場所２７において低減された輝度光線９０２を観察する。領域２６、２７は、図３Ａ〜図３Ｂの軸上及び軸外領域を更に表す。
【００８９】
図４Ｂは、図３Ａ〜図３Ｂに示すような輝度変動を有するプライバシーモード１で動作する図１Ａのディスプレイの外観を正面斜視図で示す概略図である。したがって、外側視野角は、輝度が低減された表示外観５３０、５２２、５３２、５２８、５３６、５２４、５３４、５２６を提供するのに対し、正面の視認場所５２０は、より高い輝度を提供する。
【００９０】
有利なことに、プライバシーディスプレイ又は低迷光ディスプレイには、回転対称の輝度低下を提供することができる。
【００９１】
ここで、自動車環境における図１Ａ〜図１Ｂのディスプレイの使用について記載する。
【００９２】
図５は、自動車キャビン７００、及びダッシュボード搭載ディスプレイデバイス７０４からのドライバ４７の照明を上面図で示す概略図であり、図６は、自動車のキャビン７００及びディスプレイ７０４からの運転者４７の照明を側面図で示す概略図であり、ディスプレイデバイスは、車両内に配設され、車両内の透明窓７０２の下に配設され、乗員４５が位置する車両内の座席７０１の前方に配設されている。
【００９３】
本開示では、視野窓は透明窓とは異なる。視野窓は、所望の視野距離におけるディスプレイデバイスの角照明円錐を指す。透明窓は、フロントガラス、風防ガラス、サイド窓、又は他の透明な表面などの物理的透明表面を指し、通常はガラス、ガラス複合材、又は他の透明な材料で作られている。
【００９４】
ディスプレイデバイス７０４は、いずれかの実施形態では、運転者に対して非中央領域に配設され、ディスプレイ７０４の中心から運転者４７への光線７０５の軸外照明を横角７０８での負の横角方向で提供してもよい。運転中、光線７０５は運転者４７に向けられ、更なる光線７０７は、仮想画像７１４を形成するフロントガラス７０２での反射によって運転者４７に向けられる。ディスプレイ７０４から出力される光の横角方向７０８は、光線７０５、７０７と同じであってもよい。しかしながら、それぞれの高さ方向７１０、７１２は異なる。
【００９５】
画像７１４は、運転者４７の注意をそらす可能性があり、その輝度の低減が望ましい。有利なことに、本実施形態は、乗員４５には高い輝度を達成し、運転者４７には乗員のディスプレイが注意をそらさないように輝度の実質的な低減を達成する。夜間の使用のためには、フロントガラスの反射が更に低減される。
【００９６】
更に、運転者又は乗員に提供され得る情報ディスプレイのサイズは、車両キャビンに向けられる迷光の合計を増加させることなく増大させることができる。運転者の夜間視力は、車両内表面に落ちる迷光によって影響を受け難く、運転者の安全性を高めることができる。
【００９７】
図３Ａ〜図３Ｂの極性視野の一部の軸外領域に対する最小伝達は、ピーク正面透過率の１０％以上であってもよい。ランバートディスプレイが提供される場合、そのような高透過率は、表示された画像の高い視認性を提供することができる。
【００９８】
視野制御のための受動リターダ６００を備える指向性ディスプレイからの軸外照明を更に低減することが望ましい。ここで、透過型空間光変調器４８の指向性バックライトの配設について記載する。
【００９９】
図７は、後方受動リターダと、結像導波路１を含む指向性バックライトとを備える指向性ディスプレイデバイスを側面図で示す概略図である。指向性ディスプレイデバイスは、空間光変調器４８及び指向性バックライト２０を備える。導波路１は、指向性バックライト２０は、光源１５のアレイを含む。導波路１の側面に沿って横方向に延在する入力端２と、入力端２に沿って配置され、入力光線４２０、４２２、４２４を導波路１に入力するように配設された光源１５と、導波路１に沿って入力端２における光入力を導くために、入力端２から導波路にわたって延在する対向する第１及び第２のガイド表面６、８と、を備え、導波路１は、導波路１を通して導かれた入力光を偏向させて第１のガイド表面６を通して出射するように配設されている。
【０１００】
結像導波路１は、入力光を結像導波路１に沿って反射し返す反射端４を更に含み、第２のガイド表面８は、反射された入力光を出力光として第１のガイド表面６を通して偏向させるように配設されている。第２のガイド表面８は、光抽出機構１２と、光抽出機構１２間の中間領域１０とを含み、光抽出機構１２は、反射された入力光を出力光として第１のガイド表面６を通して偏向させるように配向され、中間領域１０は、光を抽出することなく導波路１を通して光を方向付けるように配設されている。反射端４は、第１と第２のガイド表面６、８との間に延在する導波路１の側面の間に延在している横方向（ｙ軸）に正の光パワーを有する。運転中、光線４２０、４２２は、反射端４への損失なしに導かれ、第２のガイド表面８上に配設された光抽出機構１２に入射する。
【０１０１】
ディスプレイ偏光器２１０は、バックライト２０と空間光変調器４８との間の空間光変調器４８の入力側上に配設された入力偏光器であり、追加の偏光器６１８は入力偏光器２１０とバックライト２０との間に配設されている。追加の偏光器６１８は反射型偏光器である。
【０１０２】
光線４２０は、ファセット１２における全内部反射によって反射され、追加の偏光器６１８、受動リターダ６００及び空間光変調器４８を通して方向付けられる。光線４２４は、光抽出機構１２によって透過され、後部反射器３００のファセット３０３に入射し、導波路１、追加の偏光器６１８、受動リターダ６００、及び空間光変調器４８によって透過される。光線４２４は反射型偏光器６１８によって反射され、ファセット３０３、３０５に入射し、光学システムによって再利用される。
【０１０３】
軸上光線４２０、４２２、４２４は、受動リターダ６００、追加の偏光器６１８及び入力偏光器２１０によって実質的に修正されない輝度を有する。軸外光線は、例えば、図３Ａに示すように、受動リターダ６００、追加の偏光器６１８及び入力偏光器２１０によって減衰される。したがって、追加の偏光器６１８は、有利なことに、偏光を再利用することによって、並びに迷光及びプライバシー動作を低減するための軸外輝度の低減を提供することによって、増加した輝度を提供することができる。
【０１０４】
ここで、指向性バックライト２０で使用するための導波路１の結像について記載する。
【０１０５】
図８Ａは、結像導波路１からの視野窓２６の斜視背面図を示す概略図である。
【０１０６】
導波路１は、光源１５からの出力光が、光源１５の入力位置に応じて分散される出力方向のそれぞれの光学窓２６に向けられるように、光源１５を横方向（ｙ方向）に画像化するために配設されている。例として、光源１５ａは、湾曲した反射端４及び湾曲した光抽出機構１２によって光学窓２６ａに結像される。光線４２０ａ、４２０ｂは、光源１５ａから光学窓２６ａへの２つの異なる光線経路を示す。光導波路１の光軸１９９上に配設された光源１５ａは、光学窓面内の軸１９７に結像される。
【０１０７】
ここで、受動リターダ６００を備えないディスプレイデバイスにおいて使用されるときの、図８Ａの出力の極性輝度プロファイルについて記載する。
【０１０８】
図８Ｂは、狭角出力用に、かつ受動リターダ６００なしで配設された、図８Ａの結像導波路１を備えるディスプレイデバイス１００内の透過光線に対する極性方向による出力伝達の変動を示す概略グラフである。輪郭４３０は、受動リターダ６００を有さない指向性ディスプレイデバイス１００について示されており、比較のために、図３Ａ〜図３Ｂの受動リターダ６００の伝達輪郭４３２も提供されている。
【０１０９】
有利なことに、正面の輝度は維持される。運転中、図７のバックライト装置２０は、通常、覗き見者４７によって占有される、より高い角度で望ましくない迷光を提供することができる。このような高角度は、例えば、４５度より大きい横角及び０度〜６０度の高さを含んでもよい。
【０１１０】
覗き見者４７の視野角での通常の出力輝度は、受動リターダ６００がない場合、正面の輝度の２．５％未満であり得る。
【０１１１】
望ましくは、４５度の横方向視野角、及び１．５％未満、好ましくは１％未満、及び最も好ましくは０．５％未満のｚ輝度を、高性能プライバシーディスプレイのために提供することができる。有利なことに、本実施形態の受動リターダ６００は、図７の指向性バックライト２０を備えるディスプレイと共に使用されるとき、軸外覗き見者４７の視認場所の画像視認性を０．５％未満にまで更に低減し得る。
【０１１２】
より高い視野角で視認可能に切り替えることができるディスプレイを提供することが望ましい。
【０１１３】
図８Ｃは、広角出力用に、かつ受動リターダ６００なしで配設された、図８Ａの結像導波路１を備えるディスプレイデバイス１００内の透過光線に対する極性方向による出力伝達の変動を示す概略グラフである。
【０１１４】
図８Ｂと比較して、光源のアレイ１５の幅が増加し、ディスプレイは受動リターダ６００と追加の偏光子６１８が設けられるとき、４５度の横角での出力は、正面の輝度の５％以上にまで増加する場合がある。
【０１１５】
有利なことに、複数のビューアがディスプレイを観察することができる。更に、固定ディスプレイ視認位置では、極性視野は輝度の空間的なロールオフを提供する。視野を拡大すると、有利なことに、正面のユーザのディスプレイの均一性が増加する。
【０１１６】
横長及び縦長動作の両方においてプライバシー動作を向上させることが望ましい。
【０１１７】
図９は、平行化バックライト２０を提供するための前方受動リターダ６００と、平行化導波路９０１を含む指向性バックライトとを備える指向性ディスプレイデバイス１００を側面図で示す概略図である。
【０１１８】
ディスプレイデバイス１００は、ＬＣＤであり得る空間光変調器４８の出力側上に配設された出力偏光器２１８を備える。ディスプレイ偏光器は、空間光変調器４８の出力側上に配設された出力偏光器２１８である。ディスプレイデバイスは、空間光変調器４８の入力側上に配設された入力偏光器２１０を更に備える。
【０１１９】
指向性バックライト２０は、複数の細長いレンチキュラー要素を含む平行化導波路９０１と、アレイに配設された複数の傾斜光抽出機構とを含み、複数の細長いレンチキュラー要素９０６及び複数の傾斜光抽出機構９１２は、方向性導波路９０１を通して導かれた入力光を偏向させて第１のガイド表面を通して出射するように配向されている。
【０１２０】
平行化導波路９０１は、光偏向機構９１２を更に含む平面光ガイド表面９０８を備える。レンチキュラー要素を含むレンチキュラー表面９０６は、光ガイド表面９０８の反対側に配設され、拡張した円筒形レンズ形状を備えている。照明源９１５からの光は、導波路９０１内で導かれ、レンチキュラー表面９０６を通して伝達することによって、又は平面表面９０８を出射した後の反射器９０３からの反射によってのいずれかで、転向フィルム９２７に向かって出力される。導波路９０１からの光線９５０の出力は、転向フィルム９２７内の全内部反射によって偏向されて、拡散器９６８を通して空間光変調器４８、受動リターダ６０２Ａ、６０２Ｂ及び追加の偏光器６１８を通して出射する。
【０１２１】
図７の配設と比較して、有利なことに、厚さが低減され得る。
【０１２２】
ここで、図９のバックライト２０の動作について更に記載する。
【０１２３】
図１０Ａ〜図１０Ｃは、平行化導波路を様々な斜視図で示す概略図である。このような導波路は既知であり、例えば市販の製品ＨＰ  ＥｌｉｔｅＢｏｏｋ  ８４０  Ｇ３で提供されている。
【０１２４】
ここで、光抽出機構９１２の動作について、更に、平行化導波路９０１の入力端９０２での光源９１５からの光入力について記載する。
【０１２５】
図１１Ａは、軸上照明用の平行化導波路９０１の第１の傾斜した平面領域９１２の動作を側面図で示す概略図である。光線１８０は、表面９０６と９０８間の誘導によって伝搬する。光線１８０は、機構９１２の先細りによって徐々に減少する表面９０６、９０８における入射角を有する。平行化導波路９０１の材料の臨界角よりも小さい入射角である光線は、第１又は第２のガイド表面９０６、９０８をグレージング加工するために近い角度で抽出される。運転中、機構９１２のテーパ角１３３は、平行化導波路９０１からの十分な光漏れを単独で提供しないように配設される。つまり、非傾斜レンチキュラー表面３０が存在しない場合には漏れが不十分である。
【０１２６】
図１１Ｂは、軸上照明用の非傾斜レンチキュラー構造９３０の動作を側面図で示す概略図である。非傾斜レンチキュラー表面９３０における各反射で、図１１Ｂの紙面の平面外である光線１８２の偏向が提供される。したがって、結果として生じる光線は、レンチキュラー表面３０の傾斜表面に起因するテーパ効果を見る。いくつかの反射は入射角を増加させ、一方、他の反射は入射角を減少させる。運転中、入射角の正味の変化は小さく、平行化導波路９０１からの十分な光漏れを提供しない。つまり、平坦面９１２が存在しない場合には漏れが不十分である。
【０１２７】
ここで、機構９１２で反射を受けなかった光のレンチキュラー表面９３０にわたる異なる位置に入射する光線について、表面９３０からの光抽出の指向性が更に記載される。
【０１２８】
図１２Ａは、軸外照明用の非傾斜レンチキュラー構造の動作を上面図で示す概略図である。図１２Ｂは、軸外照明用の非傾斜レンチキュラー構造の動作を端面図で示す概略図であり、図１２Ｃは、軸外照明用の非傾斜レンチキュラー構造の動作を側面図で示す概略図である。
【０１２９】
光線１８４ａ、１８４ｂ、１８４ｃは、レンチキュラー表面３０において、それぞれ入射場所１８５ａ、１８５ｂ、１８５ｃを有する。上面図では、光線１８４ａ、１８４ｃは傾斜したレンチキュラー表面９３０によって偏向される。端面図では、反射角は表面９３０にわたって変化し、側面図では、反射角は修正されない。各反射に関して、光線の角度は臨界角を十分上回っており、光は抽出されない。
【０１３０】
図１２Ｄは、軸外照明用の傾斜した平面機構の動作を上面図で示す概略図である。図１２Ｅは、軸外照明用の傾斜した平面機構の動作を端面図で示す概略図であり、図１２Ｆは、軸外照明用の傾斜した平面機構の動作を側面図で示す概略図である。
【０１３１】
光線１８４ａ、１８４ｂ、１８４ｃは、平面光抽出機構９１２において、それぞれ入射場所１８５ａ、１８５ｂ、１８５ｃを有する。上面図及び端面図では、光線１８４ａ、１８４ｂ、１８４ｃは傾斜機構９１２によってわずかに偏向されている。側面図では、機構９１２の表面の優勢効果を可視化することができ、角度１８７ｂは角度１８７ａよりも小さい。したがって、機構９１２のテーパ角１３３は、光線１８４ｂを臨界角に、より近づけて方向付ける。
【０１３２】
ここで、機構９１２及び非傾斜レンチキュラー表面９３０の組み合わせ効果について記載する。
【０１３３】
図１２Ｇは、傾斜した平面機構９１２での入射後の軸外照明用の非傾斜レンチキュラー構造の動作を上面図で示す概略図である。図１２Ｈは、傾斜した平面機構９１２を有する入射後の軸外照明のための非傾斜レンチキュラー構造の動作を端面図で示す概略図であり、図１２Ｉは、傾斜した平面機構９１２を有する入射後の軸外照明のための非傾斜レンチキュラー構造の動作を側面図で示す概略図である。
【０１３４】
光線１８４ａ〜ｃは、光抽出機構９１２での反射後に低減された入射角を有する。光線１８４ａ、１８４ｂは、レンチキュラー表面９３０に入射するとき、依然として臨界入射角を上回ったままである。しかしながら、光線１８４ｃは臨界角よりも低い角度で入射し、抽出される。抽出方向は、図１２Ｇに示すように、入射光線角度と比較して長手方向に向かって傾斜している。このようにして、光抽出機構９１２及びレンチキュラー表面３０は協働して、長手方向に近い方向に光を抽出する。
【０１３５】
図１３は、光導波路の出力を上面図で示す概略図である。したがって、光線１８８ａ、１８８ｂ、１８８ｃを含む光円錐は、レンチキュラー表面９３０から優先的に出力され、傾斜面に向かって進む光に対して生じる。したがって、反射光線束１８９ａ〜１８９ｃもまた、反対側に傾斜したレンチキュラー表面から提供される。
【０１３６】
図１４は、転向フィルム９２７への入射後の図９の指向性ディスプレイデバイス１００配設のシミュレートされたＩＳＯ輝度視野極性プロットを示す概略グラフである。
【０１３７】
輪郭４３６は、受動リターダ６００を有さない指向性ディスプレイデバイス１００について示されており、比較のために、図３Ａ〜図３Ｂの受動リターダ６００の透過輪郭４３２も提供されている。
【０１３８】
ソース９１５は、水平視野角方向が横方向（ｘ軸に平行）であり、垂直視野角方向が長手方向（ｙ軸に平行）となるように、ディスプレイデバイス１００の下縁に配設されてもよい。
【０１３９】
長手方向において、光線分布は、光ガイド表面８上へのグレージング角に近い入射光によって提供され、したがって、制限された円錐角を有する。横方向視野角方向において、出力輝度プロファイルは、図１３に示すようにレンチキュラー表面３０からの光線の分布によって決定される。
【０１４０】
有利なことに、狭い円錐角が横方向及び高さ方向の両方に提供され得る。このような照明プロファイルは、高効率の出力用に使用して、電力消費を削減し、又は所与の入力電力消費に対する出力輝度を高めることができる。
【０１４１】
本実施形態の受動リターダ６００及び追加の偏光器６１８は、横方向及び高さ方向の両方において輝度の低減を提供することができる。有利なことに、横長及び縦長の両方の配向で動作する、高性能プライバシーディスプレイが提供され得る。
【０１４２】
広角動作モードに切り替えるディスプレイデバイスを提供することが望ましい場合がある。
【０１４３】
図１５は、後方受動リターダ６００及び追加の偏光器６１８を備える、切替え可能な指向性ディスプレイデバイスを側面図で示す概略図であり、ディスプレイ偏光器は入力偏光器２１０である。指向性バックライトは、平行化導波路８０１ａ及び広角導波路８０１ｂを含む。拡散器層８１０及び反射器層８１２が更に提供されてもよい。このようなディスプレイ構造は、既知であり、例えば市販の製品ＨＰ  ＥｌｉｔｅＢｏｏｋ８４０Ｇ３で提供される種類のものである。
【０１４４】
運転中、導波路８０１ａは光源８１５ａによって照明される。覗き見者４７の場所の輝度が、受動リターダ６００及び追加の偏光器６１８によって更に低減された狭い視野が提供される。したがって、光線８２０は視認場所８２１に実質的に向けられ、より高い角度の光線は実質的に輝度が低下している。
【０１４５】
広角動作モードでは、光源８１５ｂの照明、導波路８０１ｂ及び拡散器層８１０の設計により、軸外輝度が増加する。したがって、光線８２２は、より広範囲の視認場所８２３に方向付けられる。
【０１４６】
有利なことに、切替えプライバシー及び広角動作モードの両方のための横長及び縦長モードを有する切換えプライバシーディスプレイが提供され得る。
【０１４７】
本実施形態では、バックライト２０は、プライバシー動作モードでは軸外輝度を低減し、広角動作モードではより高い軸外輝度を提供するために、出力角度輝度プロファイルを切り替えるように配設された切換え可能なバックライトを更に備えてもよい。
【０１４８】
ここで、指向性バックライトについて更に記載する。
【０１４９】
図１６Ａは、指向性バックライト２０を正面斜視図で示す概略図であり、図１６Ｂは、非指向性バックライト２０を正面斜視図で示す概略図である。したがって、指向性バックライトは狭い円錐を提供するが、非指向性バックライトは光出力光線の広い角度分布を提供する。
【０１５０】
図１６Ｃは、様々な異なるバックライト配設のための、極性視野角による輝度の変動を示す概略グラフである。図１６Ｃのグラフは、本明細書に記載の極性視野プロファイルを通る断面であってもよい。ゼロ高度の場合、極角は横方向視野角と同じである。
【０１５１】
ランバートバックライトは、視野角に依存しない輝度プロファイル８４６を有する。
【０１５２】
通常の広角バックライトは、相対輝度の半値全幅８６６が、好ましくは４０°より大きく、より好ましくは６０°より大きく、及び最も好ましくは８０°より大きくなるように、より高い角度でロールオフを有する。更に、＋／−４５°における相対輝度８６４は、好ましくは７．５％より大きく、より好ましくは１０％より大きく、及び最も好ましくは２０％より大きい。
【０１５３】
比較のために、指向性バックライト２０は、より高い角度でロールオフを有し、それにより、相対輝度の半値全幅８６２は、多くても４０°、好ましくは多くても３０°、及びより好ましくは多くても２５°であり得る。更に、指向性バックライト２０は、４５度より大きい空間光変調器の法線に対する極角で輝度を提供し、輝度は、空間光変調器の法線に沿った輝度の多くても１０％、好ましくは空間光変調器の法線に沿った輝度の多くても５％、及び更に好ましくは空間光変調器の法線に沿った輝度の多くても２．５％である。
【０１５４】
本実施形態の受動リターダ６０２と追加の偏光器６１８とを組み合わせて、指向性バックライト２０を備えるディスプレイデバイス１００は、有利なことに、軸外位置での覗き見者４７に対して非常に低い視認性を提供することができる。
【０１５５】
受動リターダ６００の更なる配設について記載する。
【０１５６】
図１７Ａは、ディスプレイデバイス１００の視野の修正を提供するように配設されたＡ−プレート及び正のＣ−プレートを含む受動リターダの光学積層体を側面斜視図で示す概略図であり、図１７Ｂは、表２に示す構造を含む、図１７Ａの受動リターダ内の透過光線に対する極性方向による出力伝達の変動を示す概略グラフである。
【表２】
2020520473.tif 000004
【０１５７】
図２の実施形態と比較して、正のＣ及び正のＡリターダが提供されている。少なくとも１つの受動リターダ６００は、リターダの平面内に交差する遅相軸を有する一対の受動リターダ６０２Ｂ、６０２Ｄ、及びリターダの平面に垂直な遅相軸を有する受動リターダ６０２Ａ、６０２Ｃを含む。一対の受動リターダ６０２Ｄ、６０２Ｂは、受動リターダの平面内に、ディスプレイ偏光器２１８の電気ベクトル伝達２１９に平行な電気ベクトル伝達方向に対してそれぞれ２２．５°及び１１２．５°で延在する遅相軸を有してもよい。
【０１５８】
図２及び表１の配置と比較して、正のＡ−プレートのリターダンスが低減され、したがってより薄い材料が使用され得る。有利なことに、ディスプレイの厚さを減らすことができる。正のＣ−プレートは、ホメオトロピック整列（ｈｏｍｅｏｔｒｏｐｉｃａｌｌｙ  ａｌｉｇｎｅｄ）液晶材料のフィルムを硬化させることによって提供され得る。図３Ａの視野と比較して、高い輝度の中央領域が増加する。有利なことに、ディスプレイの均一性は、正面の表示ユーザ４５のために高めることができる。
【０１５９】
図１８Ａは、ディスプレイデバイス１００の視野の修正を提供するように配設されたＡ−プレート及び負のＣ−プレートを含む受動リターダの光学積層体を側面斜視図で示す概略図であり、図１８Ｂは、表３に示す構造を含む、図１８Ａの受動リターダ内の透過光線に対する極性方向による出力伝達の変動を示す概略グラフである。
【表３】
2020520473.tif 000005
【０１６０】
少なくとも１つの受動リターダ６００は、リターダの平面に垂直な遅相軸を有する２つの受動リターダ６０２Ａ、６０２Ｃと、リターダの平面内に交差する遅相軸を有する一対の受動リターダ６０２Ｂ、６０２Ｄとを含む。一対の受動リターダ６０２Ｂ、６０２Ｄは、受動リターダの平面内に、ディスプレイ偏光器２１８の電気ベクトル伝達２１９に平行な電気ベクトル伝達方向に対してそれぞれ２２．５°及び１１２．５°で延在する遅相軸を有してもよい。リターダ６００の平面に垂直な遅相軸を有する受動リターダ６０２Ａ、６０２Ｃは、リターダの平面内に遅相軸を有する一対の受動リターダ６０２Ｂ、６０２Ｄと交互になっている。
【０１６１】
有利なことに、一般的なリターダ材料６０４Ａ、６０４Ｃは、図１７Ａと比較してコスト及び複雑性を低減して提供され得る。
【０１６２】
図１９Ａは、ディスプレイデバイス１００の視野の修正を提供するように配設された、Ａ−プレート、負のＣ−プレート、及び正のＣ−プレートを含む受動リターダの光学積層体を側面斜視図で示す概略図であり、図１９Ｂは、表４に示す構造を含む、図１９Ａの受動リターダ内の透過光線に対する極性方向による出力伝達の変動を示す概略グラフである。
【表４】
2020520473.tif 000006
【０１６３】
水平軸を中心とした回転のための快適な視認自由度を提供しながら、横方向の輝度の低減を提供することが望ましいであろう。
【０１６４】
図２０Ａは、ディスプレイ偏光器の電気ベクトル伝達方向及び負のＣ−プレートに直交する平面内に傾斜され、ディスプレイデバイスの視野の修正を提供するように配設された、負のＯ−プレートを含む受動リターダの光学積層体を側面斜視図で示す概略図であり、図２０Ｂは、表５に示す構造を含む、図２０Ａの受動リターダ内の透過光線に対する極性方向による出力伝達の変動を示す概略グラフである。
【表５】
2020520473.tif 000007
【０１６５】
したがって、少なくとも１つの受動リターダ６００は、受動リターダ６０２Ａの平面内の構成要素と、受動リターダ６０２Ａの平面に垂直な構成要素とを持つ遅相軸を有する負のＯ−プレートである受動リターダ６０２Ａを含む。更に、受動リターダの平面内の構成要素は、ディスプレイ偏光器２１８の電気ベクトル伝達２１９と平行な電気ベクトル伝達方向に対して９０°で延在する。
【０１６６】
少なくとも１つの受動リターダ６０２Ｂは、受動リターダの平面に垂直な遅相軸を有する受動リターダを含む。
【０１６７】
有利なことに、横への視線方向に対して輝度を低減することができる。モバイルディスプレイは、横方向の軸外覗き見者のプライバシーを確保しながら、水平軸を中心に快適に回転させることができる。
【０１６８】
図２０Ｂと同様の輝度低下を達成するための別の配設について記載する。
【０１６９】
図２０Ｃは、ディスプレイ偏光器の電気ベクトル伝達方向及び交差Ａ−プレートに直交する平面内に傾斜され、ディスプレイデバイスの視野の修正を提供するように配設された、正のＯ−プレートを含む受動リターダの光学積層体を側面斜視図で示す概略図であり、図２０Ｄは、表６に示す構造を含む、図２０Ｃの受動リターダ内の透過光線に対する極性方向による出力伝達の変動を示す概略グラフである。
【表６】
2020520473.tif 000008
【０１７０】
したがって、少なくとも１つの受動リターダ６００は、交差Ａ−プレートである受動リターダ６０２Ａ、６０２Ｂと、受動リターダ６０２Ｃの平面内の構成要素及び受動リターダ６０２Ｃの平面に垂直な構成要素を持つ遅位軸を有するリターダ６０２Ｃとを含む。受動リターダの平面内の構成要素は、ディスプレイ偏光器２１８の電気ベクトル伝達２１９に平行な電気ベクトル伝達方向に対して９０°で延在する。
【０１７１】
図２０Ａと比較して、受動リターダ６０２Ａ、６０２Ｂ、６０２Ｃに代替の材料システムが提供されてもよい。有利なことに、横への視線方向に対して輝度を低減することができる。モバイルディスプレイは、横方向の軸外覗き見者のプライバシーを確保しながら、水平軸を中心に快適に回転させることができる。
【０１７２】
受動リターダの数を低減しながら、横方向の輝度制御を実現することが望ましい。
【０１７３】
図２１Ａは、ディスプレイ偏光器２１８の電気ベクトル伝達方向２１９に直交する平面内に傾斜され、空間光変調器４８及びバックライト２０の視野の修正を提供するように配設された、負のＯ−プレートを含む受動リターダの光学積層体を側面斜視図で示す概略図である。図２１Ｂは、ディスプレイ偏光器２１８の電気ベクトル伝達方向２１９に平行な平面内に傾斜され、空間光変調器４８及びバックライト２０の視野の修正を提供するように配設された、負のＯ−プレートを含む受動リターダの光学積層体を側面斜視図で示す概略図であり、図２１Ｃは、表７に示す構造を含む、図２１Ａ及び図２１Ｂの受動リターダ内の透過光線に対する極性方向による出力伝達の変動を示す概略グラフである。
【表７】
2020520473.tif 000009
【０１７４】
少なくとも１つの受動リターダ６００は、受動リターダ６０２の平面内の構成要素と、受動リターダ６０２の平面に垂直な構成要素とを持つ遅相軸を有する受動リターダ６０２を含む。更に、受動リターダの平面内の構成要素は、図２１Ａに示すようにディスプレイ偏光器２１８の電気ベクトル伝達２１９に対して垂直であるか、又は図２１Ｂに示すようにディスプレイ偏光器２１８の電気ベクトル伝達２１９に平行である電気ベクトル伝達方向に対して０°で延在する。
【０１７５】
本実施形態のそれぞれにおいて、受動リターダ６０２の整列は、ディスプレイ偏光器２１８の電気ベクトル伝達２１９に平行又は垂直な方向に関してであり得、かつ両方の整列に対して同様又は同一の性能を提供することができる。
【０１７６】
有利なことに、軸外の横方向の視認位置に対して輝度の低下が提供される一方、単一の受動リターダから水平軸を中心に回転する高い正面効率と広い視認自由度を実現し、コスト及び複雑性を低減し得る。
【０１７７】
図２２Ａは、交差Ａ−プレート６０２Ａ、６０２Ｂを含み、かつディスプレイデバイスの視野の修正を提供するように配設された受動リターダの光学積層体を側面斜視図で示す概略図であり、図２２Ｂは、表８に示す構造を含む、図２２Ａの受動リターダ内の透過光線に対する極性方向による出力伝達の変動を示す概略グラフである。
【表８】
2020520473.tif 000010
【０１７８】
したがって、少なくとも１つのリターダは、リターダの平面内に交差する遅相軸を有する一対の受動リターダ６０２Ａ、６０２Ｂを含む。好ましくは、角度６０３Ａは、少なくとも−１０°かつ多くても１０°、より好ましくは少なくとも−５°かつ多くても５°、及び最も好ましくは少なくとも−２°かつ多くても２°である。好ましくは、角度６０３Ｂは、少なくとも８０°かつ多くても１００°、より好ましくは少なくとも８５°かつ多くても９５°、及び最も好ましくは少なくとも８８°かつ多くても９２°である。
【０１７９】
有利なことに、光学積層体のコストは、望ましい正面の輝度と軸外輝度低減を維持しながら、緩い公差を有する受動リターダ６０２Ａ、６０２Ｂを提供することによって低減することができる。非常に薄い厚さは、硬化反応性メソゲン（ｍｅｓｏｇｅｎ）フィルムによって提供され得る。有利なことに、受動リターダ６００のコストと複雑さが軽減される。更に、象限を見る際の覗き見者４７の視認性が低下する。
【０１８０】
図２３Ａは、負のＣ−プレートを含み、かつディスプレイデバイス１００の視野の修正を提供するように配設された受動リターダの光学積層体を側面斜視図で示す概略図であり、図２３Ｂは、表９に示す構造を含む、図２３Ａの受動リターダ内の透過光線に対する極性方向による出力伝達の変動を示す概略グラフである。
【表９】
2020520473.tif 000011
【０１８１】
有利なことに、受動リターダ６００のコスト及び複雑さが低減される。更に、修正されていないディスプレイと比較して、象限を見る際の覗き見者４７の視認性が低下する。正面のユーザ４５については、水平軸を中心としたディスプレイの回転の画像視認性もまた、図２の受動リターダ６００と比較して改善される。
【０１８２】
上記の単一対の平行偏光器間の受動リターダ６００と比較して、軸外視認位置に対する透過率を更に低減することが望ましい。
【０１８３】
図２４Ａは、表１０に示す構造を含む、後方受動リターダ及び追加の偏光器並びに前方の更なる受動リターダ及び更なる追加の偏光器と、透過型空間光変調器及びバックライトと、を備える指向性ディスプレイデバイスを側面斜視図で示す概略図である。
【表１０】
2020520473.tif 000012
【０１８４】
ディスプレイデバイス１００は、受動リターダ６００Ａが追加の偏光器６１８Ａと入力偏光器２１０との間に配設されるように、受動リターダ６００Ａと追加の偏光器６１８Ａとを備える。ディスプレイデバイス１００は、少なくとも１つの更なる受動リターダ６００Ｂと、受動偏光器６００Ａと直列に配設された更なる追加の偏光器６１８Ａと、追加の偏光器６１８Ａとを更に備え、更なる受動偏光器６００Ｂは、出力ディスプレイ偏光器２１８と更なる追加の偏光器６１８Ｂとの間に配設されている。
【０１８５】
したがって、バックライト２０からの入力光円錐４０４は、円錐４０６として空間光変調器４８から出力され、更なる受動リターダ６０２Ｅ、６０２Ｆ及び更なる追加の偏光器６１８Ｂによって円錐４０８に更に狭小化される。
【０１８６】
軸外透過率は、例えば、図３Ａ及び図２０Ｂのプロファイルを乗算することによって達成され得る。このような構成は、例えば、ランバート光円錐４０４の近くに有し得る従来のバックライトのための高軸効率及び軸外輝度の実質的な低減を提供することができる。
【０１８７】
追加の偏光器６１８Ａは、空間光変調器４８とバックライト２０との間に配設された反射型偏光器であってもよい。有利なことに、反射型偏光器が既に使用されているバックライトと比較して、正面の効率が維持される。
【０１８８】
有利なことに、指向性導波路は、コスト及び厚さの低減を達成するために使用されても、使用されなくてもよい。バックライト内の迷光を最小限に抑えるための更なる対策を取り除いて、コストを削減し、かつプライバシー性能を向上させることができる。
【０１８９】
図２４Ｂは、後方受動リターダ及び追加の偏光器並びに更なる追加の偏光器と、透過型空間光変調器及びバックライトと、を備える指向性ディスプレイデバイスを側面斜視図で示す概略図である。
【０１９０】
少なくとも１つの更なる受動リターダ６００Ｂは、追加の偏光器６１８Ａと更なる追加の偏光器６１８Ｂとの間に配設される。有利なことに、ディスプレイの前方の外観は修正されておらず、画像忠実度が最適化されている。更に、受動リターダ６００Ａ、６００Ｂは、個々の受動リターダの各々に対して、それぞれの角色ロールオフセットを補償するように配設されてもよい。有利なことに、視野角を有する色変化が最小化され得る。
【０１９１】
図２４Ｃは、前方受動リターダ及び追加の偏光器、並びに前方の更なる受動リターダ及び発光型空間光変調器４８上に配設された更なる追加の偏光器、を備える指向性ディスプレイデバイスを側面斜視図で示す概略図である。ランバート光円錐４０４は、出力光円錐４０８を提供するために受動リターダ６００Ａ、６００Ｂ及び偏光器６１８Ａ、６１８Ｂによって制限されてもよい。有利なことに、発光型ディスプレイには、図１Ｂの配設と比較して、低い軸外輝度レベルを有する、プライバシー及び低迷光動作を提供することができる。
【０１９２】
受動リターダ６００Ｂは、横長−縦長動作の性能を有利に達成するために、６００Ａと同じ配設であってもよい。
【０１９３】
あるいは、受動リターダ６００Ａは、横長のみ又は縦長のみの動作に対して改善された性能を有利に達成するために、６００Ｂと同じ配設であってもよい。偏光器３３８及びリターダ３３６の光アイソレータ機能は維持され、高画像コントラストを有利に達成する。
【０１９４】
視野透過制御は、ここで更に記載されるように、視野角制御要素６０１によって更に提供されてもよい。
【０１９５】
空間光変調器４８とディスプレイ偏光器２１０、２１８又は３１８とを備えるディスプレイデバイスに適用するための視野角制御光学要素６０１は、制御偏光器６１８と、視野角制御光学要素を、ディスプレイデバイスに適用する際に、制御偏光器６１８とディスプレイ偏光器２１０、２１８又は３１８との間に配設するための少なくとも１つの受動リターダ６００と、を備える。少なくとも１つの受動リターダ６００は、少なくとも２つの異なる配向の遅相軸を有する少なくとも２つの受動リターダ６０２Ａ、６０２Ｂを含み得る。
【０１９６】
少なくとも１つの受動リターダ６００は、受動リターダ６０２Ａ、６０２Ｄの平面内に交差する遅相軸を有する一対の受動リターダ６０２Ａ、６０２Ｄを含み得る。一対の受動リターダ６０２Ａ、６０２Ｄは、制御偏光器の電気ベクトル伝達に平行な電気ベクトル伝達方向に対してそれぞれ４５°及び１３５°で延在する遅相軸を有してもよい。
【０１９７】
視野角制御光学要素は、第１の言及した一対の受動リターダ間に配置され、受動リターダの平面内に交差する遅相軸を有する追加の一対の受動リターダ６０２Ｂ、６０２Ｃを更に含んでもよい。追加の一対の受動リターダ６０２Ｂ、６０２Ｃは、制御偏光器の電気ベクトル伝達に平行な電気ベクトル伝達方向に対してそれぞれ０°及び９０°で各々が延在する遅相軸を有してもよい。各受動リターダの５５０ｎｍの波長の光のリターダンスは、６００ｎｍ〜８５０ｎｍの範囲、好ましくは６５０ｎｍ〜７３０ｎｍの範囲、及び最も好ましくは６７０ｎｍ〜７１０ｎｍの範囲であり得る。
【０１９８】
少なくとも１つの受動リターダ６００は、受動リターダの平面に垂直な遅相軸を有する受動リターダ６０２を含み得る。少なくとも１つの受動リターダは、受動リターダの平面に垂直な遅相軸を有する２つの受動リターダと、受動リターダの平面内に交差する遅相軸を有する一対の受動リターダとを含み得る。一対の受動リターダは、受動リターダの平面内に、制御偏光器の電気ベクトル伝達に平行な電気ベクトル伝達方向に対してそれぞれ２２．５°及び１１２．５°で延在する遅相軸を有してもよい。受動リターダの平面に垂直な遅相軸を有する受動リターダは、受動リターダの平面内に遅相軸を有する一対の受動リターダと交互になっていてもよい。
【０１９９】
少なくとも１つの受動リターダは、受動リターダの平面内の構成要素と、受動リターダの平面に垂直な構成要素とを持つ遅相軸を有する受動リターダを含み得る。受動リターダの平面内の構成要素は、制御偏光器の電気ベクトル伝達に平行又は垂直な電気ベクトル伝達方向に対して０°で延在してもよい。視野角制御光学要素は、少なくとも１つの更なる受動リターダ及び更なる追加の偏光器を更に含んでもよく、少なくとも１つの更なる受動リターダは、第１の言及した追加の偏光器と更なる追加の偏光器との間に配設されてもよい。
【０２００】
有利なことに、受動リターダ及び追加の偏光器、更なる受動リターダ、及び更なる追加の偏光器の視野角制御は、プライバシー及び低迷光用途のディスプレイの軸外輝度制御のために提供され得る。性能は、本明細書の他の箇所に記載される空間光変調器４８のディスプレイ偏光器２１０、２１８、３１８を有する、少なくとも１つの受動リターダ６００及び追加の偏光器６１８と類似していても同じであってもよい。
【０２０１】
更に、モアレアーティファクトを回避するためにパネル画素解像度に適合する必要がない、アフターマーケットのプライバシー制御要素及び／又は迷光制御要素が提供されてもよい。視野角制御要素は、出力偏光器のサイズ及び配向に便利に切断されてもよく、湾曲した、折りたたみ可能な、又は屈曲したディスプレイと共に使用され得る可撓性要素であってもよい。
【０２０２】
次に、視野角制御要素６０１の更なる例示的な実施形態について記載する。
【０２０３】
図２４Ｄは、受動リターダ積層体６０２Ａ、６０２Ｂ、６０２Ｃ、６０２Ｄ、制御偏光器６１８Ａ、更なる受動リターダ積層体６０２Ｅ、６０２Ｆ、更なる制御偏光器６１８Ｂ、及び拡散器６０７を備える視野角制御要素６０１を側面斜視図で示す概略図である。このような視野角制御要素６０１は、広い視野を有する空間光変調器に加えられ、モアレ効果を伴わずに正面の損失を最小限に抑えながら、迷光の低減と、軸外覗き見者に対する視認性の低減を達成することができる。拡散器６０７は、ディスプレイに対する視野角制御要素６０１の湿潤に対する抵抗を提供してもよい。
【０２０４】
有利なことに、視野角制御要素６０１は、空間光変調器とバックライトとの間の工場出荷時の適合、又はディスプレイの前方のいずれかのために、大きなロールからサイズに切断され得る。あるいは、視野角制御要素６０１は、ディスプレイユーザによる空間光変調器の前方へのアフターマーケット付属品として提供されてもよい。
【０２０５】
ここで、軸外照明のための平行偏光器間のリターダ層の動作について更に記載する。
【０２０６】
図２５Ａは、軸外光によるリターダ層の照明を斜視図で示す概略図である。補正リターダ６３０は、ｘ軸に対して０度の遅軸方向６３４を有する屈折率楕円体６３２によって表され、厚さ６３１を有する複屈折材料を含むことができる。垂直光線６３６は、材料内の経路長が厚さ６３１と同じであるように伝搬する。光線６３７は、ｙ−ｚ平面内にあり、光路長が長くなっている。しかしながら、材料の複屈折は光線６３６と実質的に同じである。ｘ−ｚ平面内にある光線６３８は、複屈折材料の経路長が増加し、更に複屈折は通常光線６３６とは異なる。
【０２０７】
したがって、リターダ６３０のリターダンスは、それぞれの光線の入射角に依存し、かつ、入射平面すなわちｘ−ｚにおける光線６３８は、通常の光線６３６及びｙ−ｚ平面における光線６３７とは異なるリターダンスを有する。
【０２０８】
ここで、偏光とリターダ６３０との相互作用について記載する。指向性バックライト１０１における動作中に第１及び第２の偏光構成要素を区別するために、以下の説明は第３及び第４の偏光構成要素を参照する。
【０２０９】
図２５Ｂは、ｘ軸に対して９０度の第３の線形偏光状態の軸外光によるリターダ層の照明を斜視図で示す概略図であり、図２５Ｃは、ｘ軸に対して０度の第４の線形偏光状態の軸外光によるリターダ層の照明を斜視図で示す概略図である。このような配設では、入射線形偏光状態は、楕円６３２によって表される複屈折材料の光軸に整列される。その結果、第３と第４の直交偏光構成要素間の位相差は提供されず、各光線６３６、６３７、６３８に対する直線偏光入力の偏光状態の変化は生じない。
【０２１０】
図２５Ｄは、４５度の線形偏光状態の軸外光によるリターダ６３０層の照明を斜視図で示す概略図である。線形偏光状態は、遅相軸６３４方向に対してそれぞれ直交及び平行である第３及び第４の偏光構成要素に分解されてもよい。リターダの厚さ６３１と屈折率楕円体６３２で表される材料のリターダンスは、設計波長に対して、光線６３６で表される法線方向に入射する第３及び第４の偏光構成要素の位相を半波長だけ、相対的にシフトする正味の効果を提供し得る。設計波長は、例えば、５００〜５５０ｎｍの範囲であってもよい。
【０２１１】
設計波長で、光線６３６に沿って正常に伝搬する光の場合、出力偏光は、９０度回転し、−４５度の線形偏光状態６４０になり得る。光線６３７に沿って伝播する光は、厚さの変化による光線６３７に沿った位相差と同様であるが同一ではない位相差を見ることができ、したがって、楕円偏光状態６３９は、光線６３６の出力光の線形偏光軸と同様の主軸を有し得る出力であってもよい。
【０２１２】
対照的に、光線６３８に沿った入射線形偏光状態の位相差は、著しく異なってもよく、特に、より少ない位相差が提供されてもよい。このような位相差は、所与の傾斜角６４２で実質的に円形である出力偏光状態６４４を提供し得る。
【０２１３】
リターダ積層体の軸外挙動を示すために、追加の吸収型偏光器６１８とディスプレイ偏光器２１８との間のＣ−プレート３０８、３１０の角度輝度制御を、ここで、様々な軸外照明配設について記載する。
【０２１４】
ここで、平行偏光器５００、２１０間のＣ−プレートの動作について記載する。
【０２１５】
図２６Ａは、正の立面を有する軸外偏光によるＣ−プレート層の照明を斜視図で示す概略図である。正の高さを有する軸外偏光によるＣ−プレート層の照明を斜視図で示す概略図である。入射線形偏光構成要素７０４は、リターダ５６０の平面に垂直な光軸方向５０７を有するＣ−プレート５６０の複屈折材料６３２に入射する。偏光構成要素７０４は、液晶分子を通した伝達に正味の位相差がないため、出力偏光構成要素は構成要素７０４と同じである。したがって、偏光器２１０を通して最大の伝達が見られる。したがって、少なくとも１つのリターダは、ｘ−ｙ平面であるリターダ５６０の平面に垂直な遅相軸５６１を有するリターダ５６０を含む。リターダの平面に垂直な遅相軸を有するリターダ５６０は、Ｃ−プレートを含む。
【０２１６】
図２６Ｂは、負の横角を有する軸外偏光によるＣ−プレート層の照明を斜視図で示す概略図である。図２６Ａの配設と同様に、偏光状態７０４は正味の位相差を見ず、最大の輝度で伝達される。
【０２１７】
図２６Ｃは、正の高さ及び負の横角を有する軸外偏光によるＣ−プレート層の照明を斜視図で示す概略図である。正の高さ及び負の横角を有する軸外偏光によるＣ−プレートリターダを斜視図で示す概略図である。図２６Ａ〜図２６Ｂの配設と比較して、偏光状態７０４は、複屈折材料６３２に対して固有状態７０３、７０５上に分解し、リターダ５６０を通した伝達の正味の位相差を提供する。得られた楕円偏光構成要素６５６は、図２６Ａ〜図２６Ｂに示される光線と比較して、輝度が低下した偏光器２１０を通して伝達される。
【０２１８】
図２６Ｄは、正の高さ及び正の横角を有する軸外偏光によるＣ−プレート層の照明を斜視図で示す概略図である。図２６Ｃと同様に、偏光構成要素７０４は、正味の位相差を受ける固有状態７０３、７０５に分解され、偏光器を通した伝達後に、それぞれの軸外光線の輝度を低下させる楕円偏光構成要素６６０が提供される。
【０２１９】
図２３Ｂの説明に戻ると、図２３Ｂは、図２６Ａ〜図２６Ｄの受動リターダ内の透過光線に対する極性方向による出力伝達の変動を示す概略グラフである。したがって、Ｃ−プレートは、極性象限の輝度低下をもたらし得る。リターダ積層体の軸外挙動を示すために、追加の吸収型偏光器６１８と出力ディスプレイ偏光器２１８との間の交差Ａ−プレート３０８、３１０の角度輝度制御を、様々な軸外照明配設について記載する。
【０２２０】
図２７Ａは、正の高さを有する軸外偏光による交差Ａ−プレートリターダ層の照明を斜視図で示す概略図である。電気ベクトル伝達方向２１９を有する線形偏光器２１８は、交差Ａ−プレート３０８、３１０の第１のＡ−プレート３０８上に横方向に平行な線形偏光状態７０４を提供するために使用される。遅相軸方向３０９は、横方向に対して＋４５度傾斜している。正の高さ方向における軸外角度θ１に対するリターダ３０８のリターダンスは、出力部上で概ね楕円形である、結果として生じる偏光構成要素６５０を提供する。偏光構成要素６５０は、第１のＡ−プレート３０８の遅相軸方向３０９に直交する遅相軸方向３１１を有する、交差Ａ−プレート３０８、３１０の第２のＡ−プレート３１０上に入射する。図２７Ａの入射面では、軸外角度θ１に対する第２のＡ−プレート３１０のリターダンスは、第１のＡ−プレート３０８のリターダンスと等しくて反対である。したがって、正味のゼロ遅滞が入射偏光構成要素７０４に提供され、出力偏光構成要素は入力偏光構成要素７０４と同じである。
【０２２１】
出力偏光構成要素は、追加の吸収型偏光器６１８の電気ベクトル伝達方向に整列され、効率的に伝達される。有利なことに、ゼロの横角角度構成要素を有する光線に対して実質的に損失がもたらされないため、完全な伝送効率が達成される。
【０２２２】
図２７Ｂは、負の横角を有する軸外偏光による交差Ａ−プレートリターダ層の照明を斜視図で示す概略図である。したがって、入力偏光構成要素は、概ね楕円形の偏光状態である中間偏光構成要素６５２に第１のＡ−プレート３０８によって変換される。第２のＡ−プレート３１０は、出力偏光構成要素が入力偏光構成要素７０４と同じであり、光が偏光器６１８を通して効率的に伝達されるように、第１のＡ−プレートに等しくて反対の遅滞を提供する。
【０２２３】
したがって、少なくとも１つのリターダは、本実施形態において、交差するリターダ３０８、３１０の平面内、すなわち、ｘ−ｙ平面内に遅相軸を有する一対のリターダ３０８、３１０を備える。一対のリターダ３０８、３１０は、偏光器６１８の電気ベクトル伝達に平行な電気ベクトル伝達方向に対して４５°で各々延在する遅相軸３０９、３１１を有する。
【０２２４】
有利なことに、完全な伝達効率が達成されるように、ゼロ高度の角度構成要素を有する光線に対して実質的に損失がもたらされない。
【０２２５】
図２７Ｃは、正の高さ及び負の横角を有する軸外偏光による交差Ａ−プレートリターダ層の照明を斜視図で示す概略図である。偏光７０４は、第１のＡープレート３０８によって楕円偏光構成要素構成要素６５４に変換される。得られた楕円形構成要素６５６は、第２のＡ−プレート３１０から出力される。楕円構成要素６５６は、第１の偏光構成要素７０４の入力輝度と比較して、輝度が低下した入力偏光器６１８によって分析される。
【０２２６】
図２７Ｄは、正の高さ及び正の横角を有する軸外偏光による交差Ａ−プレートリターダ層の照明を斜視図で示す概略図である。偏光構成要素６５８及び６６０は、第１及び第２のリターダの正味のリターダンスが補償を提供しないため、第１及び第２のＡ−プレート３０８、３１０によって提供される。
【０２２７】
したがって、輝度は、ゼロでない横角及びゼロでない高さ構成要素を有する光線に対して低減される。有利なことに、主ディスプレイユーザの視感効率が実質的に低減されない一方で、象限を見るように配設されている覗き見者については、ディスプレイのプライバシーを向上させることができる。
【０２２８】
図２２Ｂの説明に戻ると、これは、図２２Ａ及び図２７Ａ〜図２７Ｄの受動リターダ内の透過光線に対する極性方向による出力伝達の変動を示す概略的グラフである。図２３Ｂの配設と比較して、輝度低下の面積は、軸外視認のために増加している。
【０２２９】
本明細書で使用され得るとき、用語「実質的に」及び「約」は、それに対応する用語及び／又は項目間の相対性に対して、業界で受け入れられる許容範囲を付与するものである。かかる業界で受け入れられる許容範囲は、０パーセント〜１０パーセントの範囲であり、構成要素値、角度などが該当するが、これらに限定されない。かかる項目間の相対性は、約０パーセント未満〜１０パーセントの範囲である。
【０２３０】
本明細書に開示される原理による様々な実施形態を上述してきたが、それらは限定としてではなく単なる例として提示されていることを理解されたい。それ故、この開示の広さ及び範囲は、上述した例示的な実施形態のいずれによっても制限されてはならず、特許請求の範囲のいずれか、及び本開示に由来するそれらの均等物に従ってのみ規定されるべきである。更に、上述の利点及び特徴が記載された実施形態において提供されるが、かかる公開された特許請求の範囲の用途を、上述の利点のいずれか又はすべてを達成する方法及び構造に限定するものではない。
【０２３１】
加えて、本明細書におけるセクションの見出しは、米国特許法施行規則１．７７の規定するところに従って、さもなければ、編成上の目印として提供されるものである。これらの見出しは、本開示から生じ得る特許請求の範囲に定める（単数又は複数の）実施形態を限定したり又は特徴付けたりしないものとする。具体的には、単に例示ではあるが、「技術分野」という見出しがあるが、いわゆる分野を説明するためにこの見出しの下に選択された表現によって、特許請求の範囲が限定されることはない。更に、「背景技術」に記載された技術に関する記述は、特定の技術が、本開示における任意の（単数又は複数の）実施形態に対する先行技術であることの承認として、解釈されるべきではない。「発明の概要」についても、公開される特許請求の範囲で述べられる（単数又は複数の）実施形態を特徴付けるものとして考慮されるべきでない。更に、本開示においては、単数形での「発明」に対するいずれの言及も、本開示における新規な点が１つのみである、ということを主張するために使用されるべきではない。複数の実施形態は、本開示により、公開される複数の特許請求の範囲の限定に従って、述べられる場合がある。したがって、かかる特許請求の範囲は、この（単数又は複数の）実施形態及びそれらの均等物を定義することによって、それらを保護している。すべての例において、かかる特許請求の範囲の範囲は、本開示に照らして、固有の利点が考慮されるべきであり、本明細書で定める見出しによって制約されてはならない。
【図１Ａ】
2020520473.tif 000013
【図１Ｂ】
2020520473.tif 000014
【図１Ｃ】
2020520473.tif 000015
【図２】
2020520473.tif 000016
【図３Ａ】
2020520473.tif 000017
【図３Ｂ】
2020520473.tif 000018
【図４Ａ】
2020520473.tif 000019
【図４Ｂ】
2020520473.tif 000020
【図５】
2020520473.tif 000021
【図６】
2020520473.tif 000022
【図７】
2020520473.tif 000023
【図８Ａ】
2020520473.tif 000024
【図８Ｂ】
2020520473.tif 000025
【図８Ｃ】
2020520473.tif 000026
【図９】
2020520473.tif 000027
【図１０Ａ】
2020520473.tif 000028
【図１０Ｂ】
2020520473.tif 000029
【図１０Ｃ】
2020520473.tif 000030
【図１１Ａ】
2020520473.tif 000031
【図１１Ｂ】
2020520473.tif 000032
【図１２Ａ】
2020520473.tif 000033
【図１２Ｂ】
2020520473.tif 000034
【図１２Ｃ】
2020520473.tif 000035
【図１２Ｄ】
2020520473.tif 000036
【図１２Ｅ】
2020520473.tif 000037
【図１２Ｆ】
2020520473.tif 000038
【図１２Ｇ】
2020520473.tif 000039
【図１２Ｈ】
2020520473.tif 000040
【図１２Ｉ】
2020520473.tif 000041
【図１３】
2020520473.tif 000042
【図１４】
2020520473.tif 000043
【図１５】
2020520473.tif 000044
【図１６Ａ】
2020520473.tif 000045
【図１６Ｂ】
2020520473.tif 000046
【図１６Ｃ】
2020520473.tif 000047
【図１７Ａ】
2020520473.tif 000048
【図１７Ｂ】
2020520473.tif 000049
【図１８Ａ】
2020520473.tif 000050
【図１８Ｂ】
2020520473.tif 000051
【図１９Ａ】
2020520473.tif 000052
【図１９Ｂ】
2020520473.tif 000053
【図２０Ａ】
2020520473.tif 000054
【図２０Ｂ】
2020520473.tif 000055
【図２０Ｃ】
2020520473.tif 000056
【図２０Ｄ】
2020520473.tif 000057
【図２１Ａ】
2020520473.tif 000058
【図２１Ｂ】
2020520473.tif 000059
【図２１Ｃ】
2020520473.tif 000060
【図２２Ａ】
2020520473.tif 000061
【図２２Ｂ】
2020520473.tif 000062
【図２３Ａ】
2020520473.tif 000063
【図２３Ｂ】
2020520473.tif 000064
【図２４Ａ】
2020520473.tif 000065
【図２４Ｂ】
2020520473.tif 000066
【図２４Ｃ】
2020520473.tif 000067
【図２４Ｄ】
2020520473.tif 000068
【図２５Ａ】
2020520473.tif 000069
【図２５Ｂ】
2020520473.tif 000070
【図２５Ｃ】
2020520473.tif 000071
【図２５Ｄ】
2020520473.tif 000072
【図２６Ａ】
2020520473.tif 000073
【図２６Ｂ】
2020520473.tif 000074
【図２６Ｃ】
2020520473.tif 000075
【図２６Ｄ】
2020520473.tif 000076
【図２７Ａ】
2020520473.tif 000077
【図２７Ｂ】
2020520473.tif 000078
【図２７Ｃ】
2020520473.tif 000079
【図２７Ｄ】
2020520473.tif 000080
【国際調査報告】
2020520473.tif 000081
2020520473.tif 000082